(57)【要約】【課題】副画素の色数と解像感とを両立することができる画像表示装置等を提供する。【解決手段】画像表示装置は、表示領域内に複数の画素がマトリクス状に設けられた画像表示部を備え、複数の画素の各々に対する入力画像信号が赤、緑、青に対応する入力画像信号である画像表示装置であって、複数の画素は、第１の色域に対応する第１画素及び第２の色域に対応する第２画素を含み、第１の色域は、赤、緑、青の３色とこの３色のうち２色以上の合成色からなり、第１画素は、赤の副画素、緑の副画素及び青の副画素を有し、第２の色域は、シアン、マゼンタ、イエローの３色とこの３色のうち２色以上の合成色からなり、第２画素は、シアンの副画素、マゼンタの副画素及びイエローの副画素を有し、第１画素と第２画素とが隣接する。【選択図】図１
2018081311.tif 000002
【特許請求の範囲】
【請求項１】
表示領域内に複数の画素がマトリクス状に設けられた画像表示部を備え、前記複数の画素の各々に対する入力画像信号が赤、青、緑に対応する入力画像信号である画像表示装置であって、
前記複数の画素は、第１の色域に対応する第１画素及び第２の色域に対応する第２画素を含み、
前記第１の色域は、赤、緑、青の３色とこの３色のうち２色以上の合成色からなり、
前記第１画素は、赤の副画素、緑の副画素及び青の副画素を有し、
前記第２の色域は、シアン、マゼンタ、イエローの３色とこの３色のうち２色以上の合成色からなり、
前記第２画素は、シアンの副画素、マゼンタの副画素及びイエローの副画素を有し、
前記第１画素と前記第２画素とが隣接する
画像表示装置。 
【請求項２】
前記第１画素及び前記第２画素は、白色の副画素を有する
請求項１に記載の画像表示装置。 
【請求項３】
前記第１画素における前記白色の副画素の配置と前記第２画素における前記白色の副画素の配置とは同一の配置である
請求項２に記載の画像表示装置。
【請求項４】
前記表示領域は直線状の辺を有し、少なくとも一辺に隣接する画素は前記第１画素である
請求項１から３のいずれか一項に記載の画像表示装置。 
【請求項５】
前記第２画素は、千鳥状に配置されている
請求項４に記載の画像表示装置。 
【請求項６】
前記入力画像信号に応じて前記画像表示部の各画素が有する副画素の出力を決定する処理部を備え、
前記処理部は、隣接する前記第１画素と前記第２画素のうち一方の画素に対応する入力画像信号の成分のうち一部の成分を他方の画素が有する副画素の出力の決定に用いる
請求項１から５のいずれか一項に記載の画像表示装置。 
【請求項７】
前記処理部は、前記第１画素に対応する入力画像信号の成分である第１成分と色域外成分とを合わせた合算成分に基づいて当該第１画素が有する副画素の出力を決定し、当該第１画素と隣接する前記第２画素に対応する入力画像信号の成分である第２成分から前記色域外成分を除いた第３成分に基づいて前記第２画素が有する副画素の出力を決定し、
前記色域外成分は、前記第２成分のうち当該第２画素が有する副画素で色を再現することができない成分である
請求項６に記載の画像表示装置。 
【請求項８】
前記処理部は、前記合算成分のうち前記色域外成分により上昇する前記第１画素の輝度に対応する輝度調整成分を前記合算成分から減じて前記第１画素が有する副画素の出力を決定し、前記第３成分及び前記輝度調整成分に基づいて前記第２画素が有する副画素の出力を決定する
請求項７に記載の画像表示装置。 
【請求項９】
前記第１画素及び前記第２画素は、白色の副画素を有し、
前記処理部は、入力画像信号の成分のうち白色に変換可能な成分がある場合に前記白色の副画素を点灯させるように前記第１画素及び前記第２画素の出力を決定する
請求項６から８のいずれか一項に記載の画像表示装置。 
【請求項１０】
前記処理部は、入力画像信号のうち白色に変換可能な成分を他の色の副画素よりも優先的に前記白色の副画素の出力に反映させる
請求項９に記載の画像表示装置。 
【請求項１１】
前記処理部は、第１画素及び第２画素の各々が有する白色の副画素のうち出力がより小さい一方の副画素の出力に応じて他方の副画素の出力を決定する
請求項１０に記載の画像表示装置。 
【請求項１２】
前記処理部は、入力画像信号の成分のうち白色以外の色に変換可能な成分を白色の副画素よりも優先的に副画素の出力に反映させる
請求項９に記載の画像表示装置。 
【請求項１３】
前記処理部は、隣接する前記第１画素と前記第２画素の２画素に対応する入力画像信号に基づいた当該第１画素の副画素の出力及び当該第１画素に隣接する前記第２画素の副画素の出力の組み合わせが複数ある場合、前記第１画素の副画素の点灯数と前記第２画素の副画素の点灯数との差がより小さい前記第１画素の副画素の出力及び前記第２画素の副画素の出力を採用する
請求項６から８のいずれか一項に記載の画像表示装置。 
【請求項１４】
前記第１画素が有する副画素の数と前記第２画素が有する副画素の数は同一であり、
前記第１画素が有する副画素の各々の色及び位置関係による前記第１画素の色相環と、前記第２画素が有する副画素の各々の色及び位置関係による前記第２画素の色相環とは、色相の回転方向が同一である
請求項１から８のいずれか一項に記載の画像表示装置。 
【請求項１５】
前記第１画素が有する副画素の数と前記第２画素が有する副画素の数は同一であり、
前記第１画素における副画素の配置と前記第２画素における副画素の配置は、各画素における副画素同士の輝度の高低関係が同一である
請求項１から８のいずれか一項に記載の画像表示装置。 
【請求項１６】
複数の画素がマトリクス状に設けられ、前記複数の画素が第１の色域に対応する第１画素及び第２の色域に対応する第２画素を含み、前記第１の色域が、赤、緑、青の３色とこの３色のうち２色以上の合成色からなり、前記第１画素が赤の副画素、緑の副画素及び青の副画素を有し、前記第２の色域が、シアン、マゼンタ、イエローの３色とこの３色のうち２色以上の合成色からなり、前記第２画素がシアンの副画素、マゼンタの副画素及びイエローの副画素を有し、前記第１画素と前記第２画素とが隣接する画像表示部の各画素が有する副画素の出力を赤、青、緑に対応する入力画像信号に応じて決定する画像表示方法であって、
隣接する前記第１画素と前記第２画素のうち一方の画素に対応する入力画像信号の成分のうち一部の成分を他方の画素が有する副画素の出力の決定に用いる画像表示方法。
【発明の詳細な説明】
【技術分野】
【０００１】
本発明は、画像表示装置及び画像表示方法に関する。
【背景技術】
【０００２】
複数の画素により構成され、各々の画素が、各画素への入力画像信号を構成する色成分（赤、青、緑）の副画素と、この色成分以外の成分（白）の副画素とを有する画像表示装置が知られている（例えば特許文献１）。
【先行技術文献】
【特許文献】
【０００３】
【特許文献１】特開２０１０−２０２４１号公報
【発明の概要】
【発明が解決しようとする課題】
【０００４】
特許文献１に記載された構成では、入力画像信号が（Ｒ，Ｇ，Ｂ＝２５５，２５５，２５５）である場合のように白色の再現が要求される場合、白の副画素のみが点灯される。同様に、副画素の色に直接対応する色再現が要求される場合、当該色の副画素のみが点灯される。しかしながら、赤、青、緑の補色に対応するシアン、マゼンタ、イエロー等のように、副画素の色に対応しない色再現が要求される場合、複数の副画素が点灯されることになる。この場合、仮に当該補色に対応する副画素があれば、その副画素のみを点灯させればよいことになる。このように、副画素の色が多いほど、色再現における画素の点灯数を少なくすることができる。
【０００５】
しかしながら、一つの画素が有する副画素の数が多くなるほど、一つの画素に対応する入力画像信号に応じた色再現に用いられる画素の面積が大きくなる。このため、一つの画素が有する副画素の増減に応じた副画素の面積の変化がない場合、一つの画素が有する副画素の数が多くなるほど、画像表示装置による表示出力において見た目の解像感が低くなる。  
【０００６】
本発明は、上記の課題に鑑みてなされたもので、副画素の色数と解像感とを両立することができる画像表示装置及び画像表示方法を提供することを目的とする。
【課題を解決するための手段】
【０００７】
本発明の一態様による画像表示装置は、表示領域内に複数の画素がマトリクス状に設けられた画像表示部を備え、前記複数の画素の各々に対する入力画像信号が赤、青、緑に対応する入力画像信号である画像表示装置であって、前記複数の画素は、第１の色域に対応する第１画素及び第２の色域に対応する第２画素を含み、前記第１の色域は、赤、緑、青の３色とこの３色のうち２色以上の合成色からなり、前記第１画素は、赤の副画素、緑の副画素及び青の副画素を有し、前記第２の色域は、シアン、マゼンタ、イエローの３色とこの３色のうち２色以上の合成色からなり、前記第２画素は、シアンの副画素、マゼンタの副画素及びイエローの副画素を有し、前記第１画素と前記第２画素とが隣接する。
【０００８】
本発明の一態様による画像表示方法は、複数の画素がマトリクス状に設けられ、前記複数の画素が第１の色域に対応する第１画素及び第２の色域に対応する第２画素を含み、前記第１の色域が、赤、緑、青の３色とこの３色のうち２色以上の合成色からなり、前記第１画素が赤の副画素、緑の副画素及び青の副画素を有し、前記第２の色域が、シアン、マゼンタ、イエローの３色とこの３色のうち２色以上の合成色からなり、前記第２画素がシアンの副画素、マゼンタの副画素及びイエローの副画素を有し、前記第１画素と前記第２画素とが隣接する画像表示部の各画素が有する副画素の出力を赤、青、緑に対応する入力画像信号に応じて決定する画像表示方法であって、隣接する前記第１画素と前記第２画素のうち一方の画素に対応する入力画像信号の成分のうち一部の成分を他方の画素が有する副画素の出力の決定に用いる。
【０００９】
さらに、他の一態様として、前記第１画素及び前記第２画素は、白色の副画素を有してもよい。
【００１０】
さらに、他の一態様として、前記第１画素における前記白色の副画素の配置と前記第２画素における前記白色の副画素の配置とは同一の配置であってもよい。
【００１１】
さらに、他の一態様として、前記表示領域は直線状の辺を有し、少なくとも一辺に隣接する画素は前記第１画素であってもよい。
【００１２】
さらに、他の一態様として、前記第２画素は、千鳥状に配置されていてもよい。
【００１３】
さらに、他の一態様として、前記入力画像信号に応じて前記画像表示部の各画素が有する副画素の出力を決定する処理部を備え、前記処理部は、隣接する前記第１画素と前記第２画素のうち一方の画素に対応する入力画像信号の成分のうち一部の成分を他方の画素が有する副画素の出力の決定に用いてもよい。
【００１４】
さらに、他の一態様として、前記処理部は、前記第１画素に対応する入力画像信号の成分である第１成分と色域外成分とを合わせた合算成分に基づいて当該第１画素が有する副画素の出力を決定し、当該第１画素と隣接する前記第２画素に対応する入力画像信号の成分である第２成分から前記色域外成分を除いた第３成分に基づいて前記第２画素が有する副画素の出力を決定し、前記色域外成分は、前記第２成分のうち当該第２画素が有する副画素で色を再現することができない成分であってもよい。
【００１５】
さらに、他の一態様として、前記処理部は、前記合算成分のうち前記色域外成分により上昇する前記第１画素の輝度に対応する輝度調整成分を前記合算成分から減じて前記第１画素が有する副画素の出力を決定し、前記第３成分及び前記輝度調整成分に基づいて前記第２画素が有する副画素の出力を決定してもよい。
【００１６】
さらに、他の一態様として、前記第１画素及び前記第２画素は、白色の副画素を有し、
前記処理部は、入力画像信号の成分のうち白色に変換可能な成分がある場合に前記白色の副画素を点灯させるように前記第１画素及び前記第２画素の出力を決定してもよい。
【００１７】
さらに、他の一態様として、前記処理部は、入力画像信号のうち白色に変換可能な成分を他の色の副画素よりも優先的に前記白色の副画素の出力に反映させてもよい。
【００１８】
さらに、他の一態様として、前記処理部は、第１画素及び第２画素の各々が有する白色の副画素のうち出力がより小さい一方の副画素の出力に応じて他方の副画素の出力を決定してもよい。
【００１９】
さらに、他の一態様として、前記処理部は、入力画像信号の成分のうち白色以外の色に変換可能な成分を白色の副画素よりも優先的に副画素の出力に反映させてもよい。
【００２０】
さらに、他の一態様として、前記処理部は、隣接する前記第１画素と前記第２画素の２画素に対応する入力画像信号に基づいた当該第１画素の副画素の出力及び当該第１画素に隣接する前記第２画素の副画素の出力の組み合わせが複数ある場合、前記第１画素の副画素の点灯数と前記第２画素の副画素の点灯数との差がより小さい前記第１画素の副画素の出力及び前記第２画素の副画素の出力を採用してもよい。
【００２１】
さらに、他の一態様として、前記第１画素が有する副画素の数と前記第２画素が有する副画素の数は同一であり、前記第１画素が有する副画素の各々の色及び位置関係による前記第１画素の色相環と、前記第２画素が有する副画素の各々の色及び位置関係による前記第２画素の色相環とは、色相の回転方向が同一であってもよい。
【００２２】
さらに、他の一態様として、前記第１画素が有する副画素の数と前記第２画素が有する副画素の数は同一であり、前記第１画素における副画素の配置と前記第２画素における副画素の配置は、各画素における副画素同士の輝度の高低関係が同一であってもよい。
【図面の簡単な説明】
【００２３】
【図１】図１は、本実施形態に係る画像表示装置の構成の一例を示すブロック図である。
【図２】図２は、本実施形態に係る画像表示部の画素が含む副画素の点灯駆動回路を示す図である。
【図３】図３は、本実施形態に係る第１画素の副画素の配列を示す図である。
【図４】図４は、本実施形態に係る第２画素の副画素の配列を示す図である。
【図５】図５は、本実施形態に係る画像表示部の断面構造を示す図である。
【図６】図６は、第１画素と第２画素との位置関係並びに第１画素及び第２画素の各々が有する副画素の配置の一例を示す図である。
【図７】図７は、第１画素と第２画素との位置関係並びに第１画素及び第２画素の各々が有する副画素の配置の別の一例を示す図である。
【図８】図８は、第１画素と第２画素との位置関係並びに第１画素及び第２画素の各々が有する副画素の配置の別の一例を示す図である。
【図９】図９は、画素の組及び組になる画素の配置の一例を示す図である。
【図１０】図１０は、一辺に隣接する画素が第１画素である表示領域の一例を示す図である。
【図１１】図１１は、四辺に隣接する画素が第１画素である表示領域の一例を示す図である。
【図１２】図１２は、画素の組及び組になる画素の配置の別の一例を示す図である。
【図１３】図１３は、入力画像信号の成分の一例を示す図である。
【図１４】図１４は、赤（Ｒ）、緑（Ｇ）、青（Ｂ）の成分を白（Ｗ）の成分に変換する処理の一例を示す図である。
【図１５】図１５は、赤（Ｒ）、緑（Ｇ）の成分をイエロー（Ｙ）の成分に変換する処理の一例を示す図である。
【図１６】図１６は、本実施形態の第２画素の出力に対応する成分及び色域外成分の一例を示す図である。
【図１７】図１７は、図１３に示す入力画像信号の成分に色域外成分が加味された第１画素の出力に対応する成分の一例を示す図である。
【図１８】図１８は、本実施形態の第１画素の出力に対応する成分の一例を示す図である。
【図１９】図１９は、図１８に示す成分から輝度調整成分が減じられた第１画素の出力に対応する成分の一例を示す図である。
【図２０】図２０は、図１６に示す出力の成分に輝度調整成分が加味された第２画素の出力に対応する成分の一例を示す図である。
【図２１】図２１は、入力画像信号の成分の別の一例を示す図である。
【図２２】図２２は、図２１の入力画像信号の成分をイエロー（Ｙ）及びマゼンタ（Ｍ）の成分に変換した一例を示す図である。
【図２３】図２３は、図２１の入力画像信号の赤（Ｒ）、緑（Ｇ）、青（Ｂ）の成分を白（Ｗ）の成分に変換した一例を示す図である。
【図２４】図２４は、図２１の入力画像信号の赤（Ｒ）、緑（Ｇ）、青（Ｂ）の成分を白（Ｗ）の成分に変換した別の一例を示す図である。
【図２５】図２５は、第１画素及び第２画素の入力画像信号の成分である赤（Ｒ）、緑（Ｇ）、青（Ｂ）の値の一例を示す図である。
【図２６】図２６は、図２５に示す成分のうち白（Ｗ）に変換可能な成分を優先して白（Ｗ）に変換した場合の一例を示す図である。
【図２７】図２７は、図２６に示す成分のうち第２画素が有する白（Ｗ）以外の副画素の色に変換可能な成分を変換した一例を示す図である。
【図２８】図２８は、図２５に示す成分のうち第２画素が有する白（Ｗ）以外の副画素の色に変換可能な成分を優先して当該色に変換した場合の一例を示す図である。
【図２９】図２９は、図２８に示す成分のうち白（Ｗ）に変換可能な成分を変換した一例を示す図である。
【図３０】図３０は、図２９に示す成分に対して輝度調整成分による輝度調整を行った場合の一例を示す図である。
【図３１】図３１は、第１画素及び第２画素の入力画像信号の成分である赤（Ｒ）、緑（Ｇ）、青（Ｂ）の値の別の一例を示す図である。
【図３２】図３２は、図３１に示す成分のうち白（Ｗ）に変換可能な成分を優先して白（Ｗ）に変換した場合の一例を示す図である。
【図３３】図３３は、図３２に示す変換により生じた第２画素の色域外成分を第１画素に移した一例を示す図である。
【図３４】図３４は、図３３に示す成分に対して輝度調整成分による輝度調整を行った場合の一例を示す図である。
【図３５】図３５は、図３１に示す成分のうち第２画素が有する白（Ｗ）以外の副画素の色に変換可能な成分を優先して当該色に変換した場合の一例を示す図である。
【図３６】図３６は、図３５に示す成分のうち白（Ｗ）に変換可能な成分を変換した一例を示す図である。
【図３７】図３７は、図３４に示す変換結果と図３６に示す変換結果との合成の一例を示す図である。
【図３８】図３８は、図３７に示す合成結果が示す成分のうち白色に変換された成分の一部を白色以外の成分に分けた場合の一例を示す図である。
【図３９】図３９は、図３８に示す成分に対して輝度調整成分による輝度調整を行った場合の一例を示す図である。
【図４０】図４０は、青色成分の斜め線が存するように見える場合の一例を示す図である。
【図４１】図４１は、青色成分の斜め線が存するように見える場合の一例を示す図である。
【図４２】図４２は、青色成分の斜め線が存するように見える場合の一例を示す図である。
【図４３】図４３は、第１画素に対応する入力画像信号の成分のうちマゼンタ（Ｍ）として再現可能な成分の５０％を調整成分とした場合の一例を示す図である。
【図４４】図４４は、第１画素に対応する入力画像信号の成分のうちマゼンタ（Ｍ）として再現可能な成分の１００％を調整成分とした場合の一例を示す図である。
【図４５】図４５は、第１画素及び第２画素がそれぞれ独立して入力画像信号の成分に応じた出力を行うことができる場合の一例を示す図である。
【図４６】図４６は、第２画素に対応する入力画像信号の成分を第２画素で再現しようとした場合に色域外成分が生じたときの一例を示す図である。
【図４７】図４７は、第２画素が有する副画素のうち色域外成分を含む色である副画素の出力に色域外成分を反映させた場合の一例を示す図である。
【図４８】図４８は、全ての画素が第１画素である表示領域において複数の画素により原色の文字が１画素分の幅の線で描画される場合の一例を示す図である。
【図４９】図４９は、図４８の描画内容と同一の入力画像信号に対して単純に色域外成分を移動させた場合に生じ得るエッジずれの一例を示す図である。
【図５０】図５０は、図４８の描画内容と同一の入力画像信号に対して第２画素が有する副画素のうち色域外成分を含む色である副画素の出力に色域外成分を反映させた場合の描画内容の一例を示す図である。
【図５１】図５１は、第２画素の右側に存する他の組の第１画素が有する副画素に色域外成分が移される場合の一例を示す図である。
【図５２】図５２は、第２画素の下側に存する他の組の第１画素が有する副画素に色域外成分が移される場合の一例を示す図である。
【図５３】図５３は、エッジに対応する第２画素の入力画像信号の成分、色域外成分及び出力の一例を示す図である。
【図５４】図５４は、色域外成分が移された場合に第１画素と第２画素との間で彩度の高低関係の逆転が生じることがある第１画素の入力画像信号の成分の一例を示す図である。
【図５５】図５５は、色域外成分が移された場合に第１画素と第２画素との間で輝度の高低関係の逆転が生じることがある第１画素の入力画像信号の成分の一例を示す図である。
【図５６】図５６は、色域外成分が移された場合に第１画素で色相の回転が生じることがある第１画素の入力画像信号の成分の一例を示す図である。
【図５７】図５７は、エッジに対応する画素の検出に用いられるテーブルが示す色相と色相許容量との関係の一例を示す図である。
【図５８】図５８は、画像のエッジに関する処理の流れの一例を示すフローチャートである。
【図５９】図５９は、変形例における第１画素及び第２画素の各々が有する副画素の配置の一例を示す図である。
【図６０】図６０は、第１画素及び第２画素の各々が有する副画素の配置の別の一例を示す図である。
【図６１】図６１は、変形例における第１画素と第２画素との位置関係並びに第１画素及び第２画素の各々が有する副画素の配置の一例を示す図である。
【図６２】図６２は、変形例において一辺に隣接する画素が第１画素である表示領域の一例を示す図である。
【図６３】図６３は、変形例において四辺に隣接する画素が第１画素である表示領域の一例を示す図である。
【図６４】図６４は、第２画素に対応する入力画像信号の成分の別の一例を示す図である。
【図６５】図６５は、赤（Ｒ）、緑（Ｇ）、青（Ｂ）の成分をシアン（Ｃ）、マゼンタ（Ｍ）、イエロー（Ｙ）の成分に変換する処理の一例を示す図である。
【図６６】図６６は、赤（Ｒ）、緑（Ｇ）の成分をイエロー（Ｙ）の成分に変換する処理の別の一例を示す図である。
【図６７】図６７は、緑（Ｇ）、マゼンタ（Ｍ）の成分をシアン（Ｃ）、イエロー（Ｙ）の成分に変換する処理の一例を示す図である。
【図６８】図６８は、変形例の第２画素の出力に対応する成分及び色域外成分の一例を示す図である。
【図６９】図６９は、第１画素に対応する入力画像信号の成分の一例を示す図である。
【図７０】図７０は、図６９に示す入力画像信号の成分に色域外成分が加味された第１画素の出力に対応する成分の一例を示す図である。
【図７１】図７１は、図７０に示す成分から輝度調整成分が減じられた第１画素の出力に対応する成分の一例を示す図である。
【図７２】図７２は、図６８に示す出力の成分に輝度調整成分が加味された第２画素の出力に対応する成分の一例を示す図である。
【図７３】図７３は、第１画素が有する副画素の色に対応する色空間と第２画素が有する副画素の色に対応する色空間の一例を示す図である。
【図７４】図７４は、第１画素が有する副画素の色に対応する色空間と第２画素が有する副画素の色に対応する色空間の別の一例を示す図である。
【図７５】図７５は、第１画素が有する副画素の色に対応する色空間と第２画素が有する副画素の色に対応する色空間の別の一例を示す図である。
【図７６】図７６は、第１画素が有する副画素の色に対応する色空間と第２画素が有する副画素の色に対応する色空間の別の一例を示す図である。
【図７７】図７７は、本発明が適用されるスマートフォンの外観の一例を示す図である。
【発明を実施するための形態】
【００２４】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００２５】
（画像表示装置の構成）
図１は、本実施形態に係る画像表示装置１００の構成の一例を示すブロック図である。図２は、本実施形態に係る画像表示部３０の画素３１が含む副画素３２の点灯駆動回路を示す図である。図３は、本実施形態に係る第１画素３１Ａの副画素３２の配列を示す図である。図４は、本実施形態に係る第２画素３１Ｂの副画素３２の配列を示す図である。図５は、本実施形態に係る画像表示部３０の断面構造を示す図である。
【００２６】
図１に示すように、画像表示装置１００は、画像処理回路２０と、画像表示パネルである画像表示部３０と、画像表示部３０の駆動を制御する画像表示パネル駆動回路４０（以下、駆動回路４０ともいう。）と、を備えている。画像処理回路２０は、ハードウェア又はソフトウェアのいずれかによって機能が実現されていればよく、特に限定されるものではない。
【００２７】
画像処理回路２０は、画像表示部３０を駆動するための画像表示パネル駆動回路４０と接続されている。画像処理回路２０は、信号処理部２１と、エッジ判定部２２とを有する。信号処理部２１は、入力画像信号に応じて画像表示部３０の各画素３１が有する副画素３２（後述）の出力を決定する。具体的には、信号処理部２１は、例えば、ＲＧＢ色空間の入力画像信号を、４色で再現されるＲＧＢＷの再現値又はＣＭＹＷの再現値に変換する。信号処理部２１は、生成した出力信号を画像表示パネル駆動回路４０に出力する。ここで、出力信号は、画素３１が有する副画素３２の出力（発光状態）を示す信号である。エッジ判定部２２は、入力画像信号が画像のエッジに対応する入力画像信号であるか否か判定する。エッジ判定部２２による判定の詳細は後述する。
【００２８】
駆動回路４０は、画像表示部３０の制御装置であって、信号出力回路４１、走査回路４２及び電源回路４３を備えている。画像表示部３０の駆動回路４０は、信号出力回路４１によって、順次、画像表示部３０の各画素３１に出力信号を出力する。信号出力回路４１は、信号線ＤＴＬによって画像表示部３０と電気的に接続されている。画像表示部３０の駆動回路４０は、走査回路４２によって、画像表示部３０における副画素３２を選択し、副画素３２の動作を制御するためのスイッチング素子（例えば、薄膜トランジスタ（ＴＦＴ；Thin  Film  Transistor））のオン及びオフを制御する。走査回路４２は、走査線ＳＣＬによって画像表示部３０と電気的に接続されている。電源回路４３は、電源線ＰＣＬによって各画素３１の後述する自発光体へ電力を供給する。
【００２９】
図１に示すように、画像表示部３０は、画素３１が、Ｐ０×Ｑ０個（行方向にＰ０個、列方向にＱ０個）、２次元のマトリクス状（行列状）に配列された表示領域Ａを有する。本実施形態の画像表示部３０は、直線状の辺を有する多角形（例えば矩形）状の平面表示領域を有するが、これは表示領域Ａの具体的形状の一例であってこれに限られるものでなく、適宜変更可能である。
【００３０】
画素３１には、第１の色域に含まれる３色以上の副画素で構成される第１画素３１Ａと、第１の色域とは異なる第２の色域に含まれる３色以上の副画素で構成される第２画素３１Ｂとが含まれる。第１画素３１Ａと、第２画素３１Ｂとをそれぞれ区別する必要がない場合、画素３１とする。画素３１は、複数の副画素３２を含み、図２に示す副画素３２の点灯駆動回路が２次元のマトリクス状（行列状）に配列されている。点灯駆動回路は、制御用トランジスタＴｒ１と、駆動用トランジスタＴｒ２と、電荷保持用コンデンサＣ１とを含む。制御用トランジスタＴｒ１のゲートが走査線ＳＣＬに接続され、ソースが信号線ＤＴＬに接続され、ドレインが駆動用トランジスタＴｒ２のゲートに接続されている。電荷保持用コンデンサＣ１の一端が駆動用トランジスタＴｒ２のゲートに接続され、他端が駆動用トランジスタＴｒ２のソースに接続されている。駆動用トランジスタＴｒ２のソースが、電源線ＰＣＬと接続されており、駆動用トランジスタＴｒ２のドレインが、自発光体である有機発光ダイオードのアノードに接続されている。有機発光ダイオードのカソードは、例えば基準電位（例えばアース）に接続されている。なお図２では制御用トランジスタＴｒ１がｎチャネル型トランジスタ、駆動用トランジスタＴｒ２がｐチャネル型トランジスタの例を示しているが、それぞれのトランジスタの極性はこれに限定されない。必要に応じて、制御用トランジスタＴｒ１及び駆動用トランジスタＴｒ２それぞれの極性を決めればよい。
【００３１】
第１画素３１Ａは、例えば、第１副画素３２Ｒと、第２副画素３２Ｇと、第３副画素３２Ｂと、第４副画素３２Ｗ１とを有する。第１副画素３２Ｒは、第１原色（例えば、赤（Ｒ）成分）を表示する。第２副画素３２Ｇは、第２原色（例えば、緑（Ｇ）成分）を表示する。第３副画素３２Ｂは、第３原色（例えば、青（Ｂ）成分）を表示する。第４副画素３２Ｗ１は、第１原色、第２原色及び第３原色とは異なる追加色成分としての第４の色（本実施形態では白（Ｗ））を表示する。このように、第１画素３１Ａが有する副画素３２の色のうち３色は、赤、緑、青に対応する。第１画素３１Ａは、例えば、図３に示すように、第１副画素３２Ｒ、第２副画素３２Ｇ、第３副画素３２Ｂ及び第４副画素３２Ｗ１が２行２列（２×２）に配置されている。第２画素３１Ｂは、例えば、第５副画素３２Ｍと、第６副画素３２Ｙと、第７副画素３２Ｃと、第８副画素３２Ｗ２とを有する。第５副画素３２Ｍは、第１補色（例えば、マゼンタ（Ｍ）成分）を表示する。第６副画素３２Ｙは、第２補色（例えば、イエロー（Ｙ）成分）を表示する。第７副画素３２Ｃは、第３補色（例えば、シアン（Ｃ）成分）を表示する。第８副画素３２Ｗ２は、第１補色、第２補色及び第３補色とは異なる追加色成分としての第４の色（本実施形態では白（Ｗ））を表示する。第２画素３１Ｂは、例えば、図４に示すように、第５副画素３２Ｍ、第６副画素３２Ｙ、第７副画素３２Ｃ及び第８副画素３２Ｗ２が２行２列（２×２）に配置されている。このように、本実施形態では、第１画素３１Ａが有する副画素３２の数と第２画素３１Ｂが有する副画素３２の数は同一である。また、本実施形態では、第１画素３１Ａ又は第２画素３１Ｂの一方（例えば第２画素３１Ｂ）の画素が有する副画素３２の色は、他方の画素（第１画素３１Ａ）が有する副画素３２の色の補色である。これらの関係は第１画素３１Ａと第２画素３１Ｂとの関係の一例であってこれに限られるものでなく、適宜変更可能である。例えば、第１画素３１Ａが有する副画素３２の数と第２画素３１Ｂが有する副画素３２の数は異なってもよい。第１画素３１Ａが有する副画素３２の色は、第２画素３１Ｂが有する副画素３２の色の補色であってもよい。第１副画素３２Ｒと、第２副画素３２Ｇと、第３副画素３２Ｂと、第４副画素３２Ｗ１と、第５副画素３２Ｍと、第６副画素３２Ｙと、第７副画素３２Ｃと、第８副画素３２Ｗ２とをそれぞれ区別する必要がない場合、副画素３２とする。
【００３２】
画像表示部３０は、図５に示すように、基板５１と、絶縁層５２，５３と、反射層５４と、下部電極５５と、自発光層５６と、上部電極５７と、絶縁層５８と、絶縁層５９と、色変換層としてのカラーフィルタ６１と、遮光層としてのブラックマトリクス６２と、基板５０とを備えている。基板５１は、シリコンなどの半導体基板、ガラス基板、樹脂基板などであって、上述した点灯駆動回路などを形成又は保持している。絶縁層５２は、上述した点灯駆動回路などを保護する保護膜であり、シリコン酸化物、シリコン窒化物などを用いることができる。下部電極５５は、第１副画素３２Ｒと、第２副画素３２Ｇと、第３副画素３２Ｂと、第４副画素３２Ｗ１と、第５副画素３２Ｍと、第６副画素３２Ｙと、第７副画素３２Ｃと、第８副画素３２Ｗ２とにそれぞれ設けられており、上述した有機発光ダイオードのアノード（陽極）となる導電体である。下部電極５５は、インジウム錫酸化物（Indium  Tin  Oxide：ＩＴＯ）等の透光性導電材料（透光性導電酸化物）で形成される透光性電極である。絶縁層５３は、バンクと呼ばれ、第１副画素３２Ｒと、第２副画素３２Ｇと、第３副画素３２Ｂと、第４副画素３２Ｗ１と、第５副画素３２Ｍと、第６副画素３２Ｙと、第７副画素３２Ｃと、第８副画素３２Ｗ２とを区画する絶縁層である。反射層５４は、自発光層５６からの光を反射する金属光沢のある材料、例えば銀、アルミニウム、金などで形成されている。自発光層５６は、有機材料を含み、不図示のホール注入層、ホール輸送層、発光層、電子輸送層、電子注入層を含む。
【００３３】
（ホール輸送層）
正孔を発生する層としては、例えば、芳香族アミン化合物と、その化合物に対して電子受容性を示す物質とを含む層を用いることが好ましい。ここで、芳香族アミン化合物とは、アリールアミン骨格を有する物質である。芳香族アミン化合物の中でも特に、トリフェニルアミンを骨格に含み、４００以上の分子量を有するものが好ましい。また、トリフェニルアミンを骨格に有する芳香族アミン化合物の中でも特にナフチル基のような縮合芳香環を骨格に含むものが好ましい。トリフェニルアミンと縮合芳香環とを骨格に含む芳香族アミン化合物を用いることによって、発光素子の耐熱性が良くなる。芳香族アミン化合物の具体例としては、例えば、４，４’−ビス［Ｎ−（１−ナフチル）−Ｎ−フェニルアミノ］ビフェニル（略称：α−ＮＰＤ）、４，４’−ビス［Ｎ−（３−メチルフェニル）−Ｎ−フェニルアミノ］ビフェニル（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−｛４−（Ｎ，Ｎ−ジ−ｍ−トリルアミノ）フェニル｝−Ｎ−フェニルアミノ］ビフェニル（略称：ＤＮＴＰＤ）、１，３，５−トリス［Ｎ，Ｎ−ジ（ｍ−トリル）アミノ］ベンゼン（略称：ｍ−ＭＴＤＡＢ）、４，４’，４’’−トリス（Ｎ−カルバゾリル）トリフェニルアミン（略称：ＴＣＴＡ）、２，３−ビス（４−ジフェニルアミノフェニル）キノキサリン（略称：ＴＰＡＱｎ）、２，２’，３，３’−テトラキス（４−ジフェニルアミノフェニル）−６，６’−ビスキノキサリン（略称：Ｄ−ＴｒｉＰｈＡＱｎ）、２，３−ビス｛４−［Ｎ−（１−ナフチル）−Ｎ−フェニルアミノ］フェニル｝−ジベンゾ［ｆ，ｈ］キノキサリン（略称：ＮＰＡＤｉＢｚＱｎ）等が挙げられる。また、芳香族アミン化合物に対して電子受容性を示す物質について特に限定はなく、例えば、モリブデン酸化物、バナジウム酸化物、７，７，８，８−テトラシアノキノジメタン（略称：ＴＣＮＱ）、２，３，５，６−テトラフルオロ−７，７，８，８−テトラシアノキノジメタン（略称：Ｆ４−ＴＣＮＱ）等を用いることができる。
【００３４】
（電子注入層、電子輸送層）
電子輸送性物質について特に限定はなく、例えば、トリス（８−キノリノラト）アルミニウム（略称：Ａｌｑ３）、トリス（４−メチル−８−キノリノラト）アルミニウム（略称：Ａｌｍｑ３）、ビス（１０−ヒドロキシベンゾ［ｈ］−キノリナト）ベリリウム（略称：ＢｅＢｑ２）、ビス（２−メチル−８−キノリノラト）−４−フェニルフェノラト−アルミニウム（略称：ＢＡｌｑ）、ビス［２−（２−ヒドロキシフェニル）ベンゾオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）等の金属錯体の他、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）等を用いることができる。また、電子輸送性物質に対して電子供与性を示す物質について特に限定はなく、例えば、リチウム、セシウム等のアルカリ金属、マグネシウム、カルシウム等のアルカリ土類金属、エルビウム、イッテルビウム等の希土類金属等を用いることができる。また、リチウム酸化物（Ｌｉ２Ｏ）、カルシウム酸化物（ＣａＯ）、ナトリウム酸化物（Ｎａ２Ｏ）、カリウム酸化物（Ｋ２Ｏ）、マグネシウム酸化物（ＭｇＯ）等、アルカリ金属酸化物およびアルカリ土類金属酸化物の中から選ばれた物質を、電子輸送性物質に対して電子供与性を示す物質として用いても構わない。
【００３５】
（発光層）
例えば、赤色系の発光を得たいときには、４−ジシアノメチレン−２−イソプロピル−６−［２−（１，１，７，７−テトラメチルジュロリジン−９−イル）エテニル］−４Ｈ−ピラン（略称：ＤＣＪＴＩ）、４−ジシアノメチレン−２−メチル−６−［２−（１，１，７，７−テトラメチルジュロリジン−９−イル）エテニル］−４Ｈ−ピラン（略称：ＤＣＪＴ）、４−ジシアノメチレン−２−ｔｅｒｔ−ブチル−６−［２−（１，１，７，７−テトラメチルジュロリジン−９−イル）エテニル］−４Ｈ−ピラン（略称：ＤＣＪＴＢ）やペリフランテン、２，５−ジシアノ−１，４−ビス［２−（１０−メトキシ−１，１，７，７−テトラメチルジュロリジン−９−イル）エテニル］ベンゼン等、６００ｎｍから６８０ｎｍに発光スペクトルのピークを有する発光を呈する物質を用いることができる。また緑色系の発光を得たいときは、Ｎ，Ｎ’−ジメチルキナクリドン（略称：ＤＭＱｄ）、クマリン６やクマリン５４５Ｔ、トリス（８−キノリノラト）アルミニウム（略称：Ａｌｑ３）等、５００ｎｍから５５０ｎｍに発光スペクトルのピークを有する発光を呈する物質を用いることができる。また、青色系の発光を得たいときは、９，１０−ビス（２−ナフチル）−ｔｅｒｔ−ブチルアントラセン（略称：ｔ−ＢｕＤＮＡ）、９，９’−ビアントリル、９，１０−ジフェニルアントラセン（略称：ＤＰＡ）、９，１０−ビス（２−ナフチル）アントラセン（略称：ＤＮＡ）、ビス（２−メチル−８−キノリノラト）−４−フェニルフェノラト−ガリウム（略称：ＢＧａｑ）、ビス（２−メチル−８−キノリノラト）−４−フェニルフェノラト−アルミニウム（略称：ＢＡｌｑ）等、４２０ｎｍから５００ｎｍに発光スペクトルのピークを有する発光を呈する物質を用いることができる。以上のように、蛍光を発光する物質の他、ビス［２−（３，５−ビス（トリフルオロメチル）フェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４，６−ジフルオロフェニル）ピリジナト−Ｎ，Ｃ２’］イリジウム（ＩＩＩ）アセチルアセトナート（略称：ＦＩｒ（ａｃａｃ））、ビス［２−（４，６−ジフルオロフェニル）ピリジナト−Ｎ，Ｃ２’］イリジウム（ＩＩＩ）ピコリナート（略称：ＦＩｒ（ｐｉｃ））、トリス（２−フェニルピリジナト−Ｎ，Ｃ２’）イリジウム（略称：Ｉｒ（ｐｐｙ）３）等の燐光を発光する物質も発光物質として用いることができる。
【００３６】
上部電極５７は、インジウム錫酸化物（Indium  Tin  Oxide：ＩＴＯ）等の透光性導電材料（透光性導電酸化物）で形成される透光性電極である。なお本実施形態では、透光性導電材料の例としてＩＴＯを挙げたが、これに限定されない。透光性導電材料として、インジウム亜鉛酸化物（Indium  Zinc  Oxide：ＩＺＯ）等の別の組成を有する導電材料を用いてもよい。上部電極５７は、有機発光ダイオードのカソード（陰極）になる。絶縁層５８は、上述した上部電極５７を封止する封止層であり、シリコン酸化物、シリコン窒化物などを用いることができる。絶縁層５９は、バンクにより生じる段差を抑制する平坦化層であり、シリコン酸化物、シリコン窒化物などを用いることができる。基板５０は、画像表示部３０全体を保護する透光性の基板であり、例えば、ガラス基板を用いることができる。なお、図５においては、下部電極５５がアノード（陽極）、上部電極５７がカソード（陰極）の例を示しているが、これに限定されない。下部電極５５がカソード及び上部電極５７がアノードであってもよく、その場合は、下部電極５５に電気的に接続されている駆動用トランジスタＴｒ２の極性を適宜変えることも可能であり、また、キャリア注入層（ホール注入層及び電子注入層）、キャリア輸送層（ホール輸送層及び電子輸送層）、発光層の積層順を適宜変えることも可能である。
【００３７】
画像表示部３０は、カラー表示パネルであり、自発光層５６の発光成分のうち、副画素３２と画像観察者との間に、副画素３２の色に応じた色の光を通過させるカラーフィルタ６１が配置されている。画像表示部３０は、赤（Ｒ）、緑（Ｇ）、青（Ｂ）、シアン（Ｃ）、マゼンタ（Ｍ）、イエロー（Ｙ）及び白（Ｗ）に対応する色の光を発光することができる。なお、白（Ｗ）に対応する第４副画素３２Ｗ１及び第８副画素３２Ｗ２と画像観察者との間にカラーフィルタ６１が配置されていないようにしてもよい。また、画像表示部３０は、自発光層５６の発光成分がカラーフィルタ６１などの色変換層を介さず、第１副画素３２Ｒ、第２副画素３２Ｇ、第３副画素３２Ｂ、第４副画素３２Ｗ１、第５副画素３２Ｍ、第６副画素３２Ｙ、第７副画素３２Ｃ、第８副画素３２Ｗ２の各々の色を発光することもできる。例えば画像表示部３０は、第４副画素３２Ｗ１には、色調整用のカラーフィルタ６１の代わりに透明な樹脂層が備えられていてもよい。このように画像表示部３０は、透明な樹脂層を設けることで、第４副画素３２Ｗ１に大きな段差が生じることを抑制することができる。
【００３８】
（画素及び副画素の配置）
次に、図６〜図１２を参照して、画素３１及び副画素３２の具体的な配置例について説明する。画像表示部３０は、画素３１がマトリクス状に配置されている。具体的には、図６に示すように、画像表示部３０において、第１画素３１Ａと第２画素３１Ｂは隣接する。より具体的には、画像表示部３０において、第２画素３１Ｂは、千鳥状に配置されている。よって、第２画素３１Ｂに隣接する第１画素３１Ａも千鳥状に配置されている。なお、ここでいう「千鳥状」とは、複数の画素３１間の区切り（輪郭）が表示領域内に格子を描くマトリクス状の配置において、行方向及び列方向（又は上下方向及び左右方向）に互い違いに設けられていることをさし、所謂市松模様（チェック模様）状に対応する。
【００３９】
このように、画像表示装置１００は、第１の色域に含まれる３色以上の副画素３２で構成される第１画素３１Ａと、第１の色域とは異なる第２の色域に含まれる３色以上の副画素３２で構成される第２画素３１Ｂとがマトリクス状に設けられて第１画素３１Ａと第２画素３１Ｂとが隣接する画像表示部３０を有する。なお、本実施形態において「隣接」とは、画像表示部３０の行方向（左右方向）及び列方向（上下方向）の少なくとも一方に沿う方向で隣り合うことを差し、行方向及び列方向に対して傾斜する斜め方向の画素３１の配置については含まれない。
【００４０】
図６は、第１画素３１Ａと第２画素３１Ｂとの位置関係並びに第１画素３１Ａ及び第２画素３１Ｂの各々が有する副画素３２の配置の一例を示す図である。第１画素３１Ａにおける副画素３２の配置と第２画素３１Ｂにおける副画素３２の配置は、所定の対応関係を有するように配置されてもよい。具体的には、第１画素３１Ａにおける副画素３２の配置と第２画素３１Ｂにおける副画素３２の配置は、第１画素３１Ａが有する副画素３２の色相と第２画素３１Ｂが有する副画素３２の色相とを対比した場合に、各画素３１における色相の配置がより近似する配置であるように配置されてもよい。より具体的には、図６に示すように、第１画素３１Ａ及び第２画素３１Ｂにおける副画素３２の配置が２行２列（２×２）であって、第１画素３１Ａの副画素３２が、左上、右上、右下、左下の順に、第１副画素３２Ｒ、第２副画素３２Ｇ、第３副画素３２Ｂ、第４副画素３２Ｗ１である場合に、第２画素３１Ｂの副画素３２が、左上、右上、右下、左下の順に、第５副画素３２Ｍ、第６副画素３２Ｙ、第７副画素３２Ｃ、第８副画素３２Ｗ２であってもよい。この場合、第１画素３１Ａ及び第２画素３１Ｂを色相環として見立てた場合の色相の回転方向が同一であることになる。
【００４１】
以下の説明では、原則として、図６に示すように、第２画素３１Ｂの配置が千鳥状であって、第１画素３１Ａが有する副画素３２の配置と第２画素３１Ｂが有する副画素３２の配置との関係が色成分に対応する場合について説明するが、本発明はこれに限られるものでない。図７、図８は、第１画素３１Ａと第２画素３１Ｂ（又は第２画素３１Ｂ２）との位置関係並びに第１画素３１Ａ及び第２画素３１Ｂ（又は第２画素３１Ｂ２）の各々が有する副画素３２の配置の別の一例を示す図である。例えば、図７、図８に示すように、一方向（例えば列方向）に沿って設けられた第１画素３１Ａの列と第２画素３１Ｂの列とが他方向（例えば行方向）に隣接する配置であってもよい。また、副画素３２の配置について、図８に示すように、第１画素３１Ａにおける副画素３２の配置による第１画素３１Ａの輝度分布と第２画素３１Ｂ２における副画素３２の配置による第２画素３１Ｂ２の輝度分布とがより近似するように、第１画素３１Ａ及び第２画素３１Ｂ２の副画素３２の配置を決定してもよい。この場合、第１画素３１Ａにおける副画素３２の配置と第２画素３１Ｂ２における副画素３２の配置は、各画素３１における副画素３２同士の輝度の高低関係が同一であることになる。また、この場合の輝度分布は、例えば全ての副画素３２が予め定められた最大の発光量（例えば１００％）で発光する場合の輝度分布である。図８に示すような第２画素３１Ｂ２が千鳥状であってもよい。また、第１画素３１Ａ及び第２画素３１Ｂの各々の副画素３２の配置はこれらに限られるものでなく、適宜変更可能である。
【００４２】
図３、図４、図６〜図８に示すように、第１画素３１Ａにおける白色の副画素の配置と第２画素３１Ｂにおける白色の副画素の配置とは同一の配置である。具体的には、例えば第４画素３２Ｗ１及び第８画素３２Ｗ２は共に、画素３１の左下に配置されている。白色の副画素の配置は左下に限られるものでなく、画素３１の任意の位置に配置することができる。
【００４３】
出力信号は、第１画素３１Ａと第２画素３１Ｂの配置に応じて、第１画素３１Ａ及び第２画素３１Ｂに対して個別に出力される。具体的には、第１画素３１Ａに対応する位置に赤（Ｒ）、緑（Ｇ）、青（Ｂ）、白（Ｗ）の色の光を発光する第１副画素３２Ｒ、第２副画素３２Ｇ、第３副画素３２Ｂ及び第４副画素３２Ｗ１の発光状態を示す出力信号が出力され、第２画素３１Ｂに対応する位置にマゼンタ（Ｍ）、イエロー（Ｙ）、シアン（Ｃ）、白（Ｗ）の色の光を発光する第５副画素３２Ｍ、第６副画素３２Ｙ、第７副画素３２Ｃ及び第８副画素３２Ｗ２の発光状態を示す出力信号が出力される。
【００４４】
次に、第１画素３１Ａと第２画素３１Ｂとの組について説明する。本実施形態では、信号処理部２１は、一つの第１画素３１Ａと一つの第２画素３１Ｂとを一組の画素３５として扱い、例外処理を除いて組単位で入力画像信号を処理する。すなわち、信号処理部２１は、この一組の画素３５に含まれる二つの画素３１に対応する入力画像信号が、この一組の画素３５に含まれる第１画素３１Ａが有する副画素３２の出力とこの一組の画素３５に含まれる第２画素３１Ｂが有する副画素３２の出力との組み合わせによる色再現で表示出力されるように処理を行う。
【００４５】
図９は、画素の組及び組になる画素の配置の一例を示す図である。具体的には、信号処理部２１は、例えば図９に破線で示すように、一つの第１画素３１Ａと、当該第１画素３１Ａに対して右側に存する一つの第２画素３１Ｂとを一組の画素３５として扱う。第２画素３１Ｂを基準とした場合、第２画素３１Ｂは、左側で隣接する第１画素３１Ａと組になる。この場合、図９に示すように、各組の画素は、互い違い（小口積み状）の位置関係となる。
【００４６】
ここで、表示領域Ａの少なくとも一辺に隣接する画素は第１画素３１Ａであってもよい。図１０は、一辺に隣接する画素が第１画素３１Ａである表示領域Ａの一例を示す図である。具体的には、例えば図１０の辺隣接領域Ａ１に示すように、表示領域Ａの外縁に対応する一辺に隣接する画素列を構成する画素が全て第１画素３１Ａであってもよい。この場合、当該画素列を構成する第１画素３１Ａのうち右側で第２画素３１Ｂと隣接する第１画素３１Ａは、当該第２画素３１Ｂと組をなす。一方、当該画素列を構成する第１画素３１Ａのうち右側で他の第１画素３１Ａと隣接する第１画素３１Ａは、行方向及び列方向で隣接する第２画素３１Ｂがないため、当該第１画素３１Ａは、組をなさない。当該第１画素３１Ａの各々は、単独で各々の入力画像信号に応じた出力（例えば発光）を行う。
【００４７】
なお、表示領域Ａの辺のうち二辺以上の辺に隣接する画素を第１画素３１Ａとしてもよい。図１１は、四辺に隣接する画素が第１画素３１Ａである表示領域Ａの一例を示す図である。具体的には、例えば図１１の辺隣接領域Ａ２で示すように、矩形状の表示領域Ａの全ての辺に隣接する画素を第１画素３１Ａとしてもよい。この場合、加速度センサ等の検出部と当該検出部に応じて画面の回転状態を制御する回転制御部とを有する画像表示装置１００又は電子機器において、辺隣接領域Ａ２に隣接する第２画素３１Ｂは、必ず第１画素３１Ａと隣接することができる。より具体的には、一組の画素が左右方向又は上下方向のいずれか一方に沿って設定される条件下において、四辺に対応する辺隣接領域Ａ２の全ての画素が第１画素３１Ａであることで、辺隣接領域Ａ２に隣接する第２画素３１Ｂを含む全ての第２画素３１Ｂは、回転状態に関わらず、当該条件下で組を形成することができる。この場合、検出部は、例えば地球等が有するより大きい重力に対する重力加速度を計測することで画像表示装置１００の傾きを検出する。回転制御部は、検出部による検出結果に応じて表示領域Ａの上下左右を決定し、決定された上下左右に応じた出力を信号処理部２１又は駆動回路４０に行わせる。図１１では四辺に隣接する画素が第１画素３１Ａであるが、このうち二辺又は三辺に隣接する画素のみ第１画素３１Ａであってもよい。また、画像表示装置１００が四角形以外の多角形である場合に、その辺の一部又は全部に隣接する画素が第１画素３１Ａであってもよい。
【００４８】
以下の説明では、原則として、一つの第１画素３１Ａと、当該第１画素３１Ａに対して右側に存する一つの第２画素３１Ｂとが一組として扱われる場合について説明するが、本発明はこれに限られるものでない。どの方向で隣接する第１画素３１Ａと第２画素３１Ｂとを組とするかは任意である。図１２は、画素の組及び組になる画素の配置の別の一例を示す図である。例えば、図１２に示すように、組になる第１画素３１Ａと第２画素３１Ｂとの左右関係が行ごとに入れ替ってもよい。図１２では、一つの第１画素３１Ａと、当該第１画素３１Ａに対して左側に存する一つの第２画素３１Ｂとの組を一組の画素３５Ａとし、２行の画素行のうち一方の行（上の画素行）に一組の画素３５が配置され、他方の行（下の画素行）に一組の画素３５Ａが配置されている例を示している。一組の画素３５と一組の画素３５Ａとの行の上下関係は一例であってこれに限られるものでなく、入れ替え可能である。図１２では図示を省略しているが、３行以上の画素行の場合、行ごとに一組の画素３５と一組の画素３５Ａとが入れ替わるように配置される。また、上下方向について第１画素３１Ａと第２画素３１Ｂとが隣接する配置において、上下方向に隣接する一つの第１画素３１Ａと一つの第２画素３１Ｂとを一組の画素とするようにしてもよい。上下方向又は左右方向のいずれかの方向のうちより解像感が必要な方向に直交する方向に沿って組を設定することで、組が設定された方向に直交する方向の解像感をより高いレベルで維持しやすくなる。
【００４９】
（画像処理回路の処理）
次に、図１３〜図５８を参照して、画像処理回路２０による処理について説明する。信号処理部２１は、隣接する第１画素３１Ａと第２画素３１Ｂのうち一方の画素に対応する入力画像信号の成分のうち一部の成分を他方の画素が有する副画素３２の出力の決定に用いる。具体的には、信号処理部２１は、例えば、第１画素３１Ａに対応する入力画像信号の成分である第１成分及び隣接する第２画素３１Ｂに対応する入力画像信号のうち当該第２画素３１Ｂが有する副画素３２で色を再現することができない成分である色域外成分の合算成分に基づいて第１画素３１Ａが有する副画素３２の出力を決定し、第２画素３１Ｂに対応する入力画像信号の成分である第２成分から色域外成分を除いた第３成分に基づいて第２画素３１Ｂが有する副画素３２の出力を決定する。なお、「副画素３２の出力」とは、当該副画素３２からの光の出力の有無に限らず、光の出力がある場合の光の強弱を含む。すなわち、「副画素３２の出力を決定する」とは、各々の副画素３２からの光の強度を決定することをさす。また、「成分を副画素３２の出力に反映させる」とは、当該成分に応じた光の強度の増減を当該副画素３２の光の出力における光の強度の強弱に反映させることをさす。
【００５０】
本実施形態では、ＲＧＢ色空間に対応した入力画像信号が採用されている。以下、入力画像信号が、赤（Ｒ）成分、緑（Ｇ）成分、青（Ｂ）成分の各階調が８ビット（２５６階調）である場合、すなわち（Ｒ，Ｇ，Ｂ）＝（０，０，０）〜（２５５，２５５，２５５）の範囲内で構成される場合について説明する。このように、本実施形態では、入力画像信号の成分は、第１画素３１Ａが有する副画素３２のうち３色に対応する。係る入力画像信号は、本発明における入力画像信号の成分の一例であってこれに限られるものでなく、適宜変更可能である。また、以下の説明で示す入力画像信号の具体的な数値は、あくまで一例であってこれに限られるものでなく、任意の数値を取ることができる。
【００５１】
図１３は、入力画像信号の成分の一例を示す図である。図１３〜図２０を参照した説明では、一組の画素３５に含まれる第１画素３１Ａに対応する入力画像信号及び当該一組の画素３５に含まれる第２画素３１Ｂに対応する入力画像信号がともに図１３に示すような赤（Ｒ）、緑（Ｇ）、青（Ｂ）の成分を示す入力画像信号である場合について説明する。すなわち、この場合、第１画素３１Ａに対応する入力画像信号の成分である第１成分と、第２画素３１Ｂに対応する入力画像信号の成分である第２成分は、図１３に示す赤（Ｒ）、緑（Ｇ）、青（Ｂ）の色値の組み合わせであり、当該組み合わせにより表される色を構成する成分（Ｒ，Ｇ，Ｂ）である。
【００５２】
（信号処理部の処理：基本的処理）
まず、第２画素３１Ｂが有する副画素３２の出力の決定に関する処理について説明する。図１４は、赤（Ｒ）、緑（Ｇ）、青（Ｂ）の成分を白（Ｗ）の成分に変換する処理の一例を示す図である。図１５は、赤（Ｒ）、緑（Ｇ）の成分をイエロー（Ｙ）の成分に変換する処理の一例を示す図である。図１６は、本実施形態の第２画素３１Ｂの出力に対応する成分及び色域外成分の一例を示す図である。信号処理部２１は、第２画素３１Ｂに対応する入力画像信号の成分のうち、第２画素３１Ｂが有する副画素３２の色で再現可能な成分を第２画素３１Ｂが有する副画素３２の色に変換する処理を行う。具体的には、信号処理部２１は、例えば図１４に示すように、第２画素３１Ｂに対応する入力画像信号の成分である赤（Ｒ）、緑（Ｇ）、青（Ｂ）の成分のうち最も彩度が小さい成分（図１４の場合、青（Ｂ））の成分量に対応する成分量を赤（Ｒ）、緑（Ｇ）、青（Ｂ）の成分から抜き出して白（Ｗ）に変換する。白（Ｗ）は、第８副画素３２Ｗ２の色である。このように、信号処理部２１は、第２画素３１Ｂに対応する入力画像信号の成分のうち、白色で再現可能な成分を白色に変換する処理を行う。信号処理部２１は、第２画素３１Ｂが有する他の副画素３２の色についても同様の処理を行う。具体的には、信号処理部２１は、例えば図１５に示すように、第２画素３１Ｂに対応する入力画像信号の成分であって、白（Ｗ）に変換されなかった赤（Ｒ）、緑（Ｇ）の成分のうちより小さい成分（図１５の場合、赤（Ｒ））の成分量に対応する成分量を赤（Ｒ）、緑（Ｇ）の成分から抜き出してこの成分の組み合わせに対応する色（図１５の場合、イエロー（Ｙ））に変換する。イエロー（Ｙ）は、第６副画素３２Ｙの色である。この結果、第２画素３１Ｂの出力に対応する成分は、図１６に示すシアン（Ｃ）、マゼンタ（Ｍ）、イエロー（Ｙ）及び白（Ｗ）の成分になる。
【００５３】
図１５に示す例では、赤（Ｒ）、緑（Ｇ）の成分をイエロー（Ｙ）に変換する例を示しているが、これは変換処理の一例であってこれに限られるものでない。信号処理部２１は、第２画素３１Ｂに対応する入力画像信号の成分から第２画素３１Ｂが有する他の副画素３２の色に変換することもできる。具体的には、信号処理部２１は、赤（Ｒ）、青（Ｂ）の成分をマゼンタ（Ｍ）に変換することができる。マゼンタ（Ｍ）は、第５副画素３２Ｍの色である。また、信号処理部２１は、緑（Ｇ）、青（Ｂ）の成分をシアン（Ｃ）に変換することができる。シアン（Ｃ）は、第７副画素３２Ｃの色である。
【００５４】
第２画素３１Ｂに対応する入力画像信号について図１４及び図１５に示す変換処理が行われた場合、図１６に示すように、第２画素３１Ｂに対応する入力画像信号の成分のうち、白（Ｗ）及びイエロー（Ｙ）への変換に用いられなかった緑（Ｇ）の成分が残ることになる。ここで、第２画素３１Ｂが有する副画素３２の色であるシアン（Ｃ）、マゼンタ（Ｍ）、イエロー（Ｙ）及び白（Ｗ）では、この残った緑（Ｇ）の成分を再現することができない。この残った成分は、色域外成分として第１画素３１Ａが有する副画素３２の出力の決定に用いられる。図１６及び後述する図１７では、色域外成分に符号Ｏ１を付している。すなわち、この場合、第２画素３１Ｂに対応する入力画像信号の成分である第２成分から色域外成分を除いた第３成分とは、図１３に示す成分（第２成分）から色域外成分（図１６の色域外成分Ｏ１）を除いた赤（Ｒ）、緑（Ｇ）、青（Ｂ）の色値の組み合わせであり、当該組み合わせにより表される色を構成する成分（Ｒ，Ｇ，Ｂ）である。この第３成分により決定された副画素の出力は、図１６に示すシアン（Ｃ）、マゼンタ（Ｍ）、イエロー（Ｙ）及び白（Ｗ）の成分に応じた出力になる。
【００５５】
次に、第１画素３１Ａが有する副画素３２の出力の決定に関する処理について説明する。図１７は、図１３に示す入力画像信号の成分に色域外成分が加味された第１画素３１Ａの出力に対応する成分の一例を示す図である。図１８は、本実施形態の第１画素３１Ａの出力に対応する成分の一例を示す図である。信号処理部２１は、第１画素３１Ａに対応する入力画像信号の成分のうち、第１画素３１Ａが有する副画素３２の色で再現可能な成分を第１画素３１Ａが有する副画素３２の色に変換する処理を行う。具体的には、信号処理部２１は、例えば第２画素３１Ｂと同様、図１４に示すように、第１画素３１Ａに対応する入力画像信号の成分である赤（Ｒ）、緑（Ｇ）、青（Ｂ）の成分のうち最も彩度が小さい成分（図１４の場合、青（Ｂ））の成分量に対応する成分量を赤（Ｒ）、緑（Ｇ）、青（Ｂ）の成分から抜き出して白（Ｗ）に変換する。白（Ｗ）は、第４副画素３２Ｗ１の色である。このように、信号処理部２１は、第１画素３１Ａに対応する入力画像信号の成分のうち、白色で再現可能な成分を白色に変換する処理を行う。また、信号処理部２１は、第１画素３１Ａに対応する入力画像信号の成分に、色域外成分を合成する。具体的には、信号処理部２１は、例えば図１７に示すように、図１６で色域外成分とされた緑（Ｇ）の成分を第１画素３１Ａに対応する入力画像信号の成分に加える。この結果、第１画素３１Ａの出力に対応する成分は、図１８に示す赤（Ｒ）、緑（Ｇ）、青（Ｂ）及び白（Ｗ）の成分になる。すなわち、この場合、第１成分と色域外成分との合算成分とは、図１７及び図１８に示す赤（Ｒ）、緑（Ｇ）、青（Ｂ）の色値の組み合わせであり、当該組み合わせにより表される色を構成する成分（Ｒ，Ｇ，Ｂ）である。
【００５６】
このように、信号処理部２１は、二つの画素に対応する入力画像信号のうち当該第２画素３１Ｂが有する副画素３２で色を再現することができない成分である色域外成分を、第１画素３１Ａで再現するように、一組の画素３５に対応する二画素分の入力画像信号を処理する。これによって、一組の画素３５のうち一方の画素が有する副画素３２で色を再現することができない成分があっても、一組の画素３５単位で入力画像信号に対応した色再現を行うことができる。
【００５７】
また、図１６及び図１８の例で示すように、入力画像信号の成分のうち白色に変換可能な成分がある場合に白色の副画素を点灯させるように第１画素３１Ａ及び第２画素３１Ｂの出力を決定することで、各画素３１の輝度を白色の副画素の点灯により確保することができる。すなわち、輝度を確保する観点において他の色の副画素３２の出力をより抑えることができることから、より高いレベルの省電力性を実現することができる。
【００５８】
（信号処理部の処理：輝度調整）
信号処理部２１は、例えば、図１８に示す赤（Ｒ）、緑（Ｇ）、青（Ｂ）及び白（Ｗ）の成分を第１画素３１Ａが有する副画素３２の出力を示す出力信号とし、図１６に示すシアン（Ｃ）、マゼンタ（Ｍ）、イエロー（Ｙ）及び白（Ｗ）の成分を第２画素３１Ｂが有する副画素３２の出力を示す出力信号として、第１画素３１Ａ及び第２画素３１Ｂに出力してもよい。ここで、第２画素３１Ｂに対応する入力画像信号のうち色域外成分が第１画素３１Ａに移されていることから、第２画素３１Ｂに対応する入力画像信号の成分により出力される輝度のうち色域外成分に対応する分の輝度が第２画素３１Ｂから第１画素３１Ａに移っていることになる。そこで、信号処理部２１は、合算成分のうち色域外成分により上昇する第１画素３１Ａの輝度に対応する輝度調整成分を合算成分から減じて第１画素３１Ａが有する副画素３２の出力を決定し、第３成分及び輝度調整成分に基づいて第２画素３１Ｂが有する副画素３２の出力を決定するようにしてもよい。このように輝度調整成分を用いた第１画素３１Ａと第２画素３１Ｂとの間の輝度調整を行うことで、第１画素３１Ａに対応する入力画像信号に応じた輝度を第１画素３１Ａで出力するとともに、第２画素３１Ｂに対応する入力画像信号に応じた輝度を第２画素３１Ｂで出力することができる。すなわち、一組の画素３５に含まれる各画素３１の輝度を変ずることなく一組の画素３５で入力画像信号に対応した色再現を行うことができる。
【００５９】
輝度調整成分に関する処理について、図１９及び図２０を参照して説明する。図１９は、図１８に示す成分から輝度調整成分が減じられた第１画素３１Ａの出力に対応する成分の一例を示す図である。図２０は、図１６に示す出力の成分に輝度調整成分が加味された第２画素３１Ｂの出力に対応する成分の一例を示す図である。信号処理部２１は、まず、色域外成分により第１画素３１Ａに加味される輝度を算出する。次に、信号処理部２１は、算出された輝度に対応する成分を第１画素３１Ａの成分から減ずる。具体的には、信号処理部２１は、例えば図１９に示すように、第２画素３１Ｂで再現可能な成分（図１９の場合、白（Ｗ））を減ずることで、色域外成分により第１画素３１Ａに加味される輝度に対応する成分を減ずる。図１９に示す例の場合、低減された白（Ｗ）の成分が、輝度調整成分である。図１９及び図２０では、輝度調整成分に符号Ｐ１を付している。信号処理部２１は、第１画素３１Ａで低減した輝度調整成分を第２画素３１Ｂの成分に加える。具体的には、信号処理部２１は、例えば図２０に示すように、図１９で第１画素３１Ａの成分から低減された白（Ｗ）の成分量だけ、第２画素３１Ｂの成分における白（Ｗ）の成分を増加させる。図１９及び図２０に示す処理後の成分をそれぞれ第１画素３１Ａの出力信号及び第２画素３１Ｂの出力信号とすることで、第１画素３１Ａ及び第２画素３１Ｂの輝度を、各々の入力画像信号に対応した輝度にすることができる。
【００６０】
なお、輝度調整成分は、第２画素３１Ｂが有する副画素３２で再現できる色の成分であることが望ましい。輝度調整成分として第２画素３１Ｂが有する副画素３２で再現できる色の成分を第１画素３１Ａの出力に対応する成分から抽出することができない場合、第２画素３１Ｂが有する副画素３２の色で再現可能な色成分により近い色の成分を輝度調整成分とすることが望ましい。例えば、第１画素３１Ａの出力に対応する成分のうち緑（Ｇ）及び白（Ｗ）の成分の組み合わせは、第２画素３１Ｂが有するシアン（Ｃ）及びイエロー（Ｙ）の成分の組み合わせとして移すことができるので、輝度調整成分として緑（Ｇ）及び白（Ｗ）の成分の組み合わせを採用することができる。また、信号処理部２１は、第１画素３１Ａの出力に対応する成分のうち白（Ｗ）の成分を、当該第１画素３１Ａの緑（Ｇ）の成分と第２画素３１Ｂのマゼンタ（Ｍ）の成分とに分け、当該マゼンタ（Ｍ）の成分を輝度調整成分としてもよい。また、輝度調整成分として第１画素３１Ａから白（Ｗ）の成分が減じられた場合に、第２画素３１Ｂで当該輝度調整成分をシアン（Ｃ）、マゼンタ（Ｍ）、イエロー（Ｙ）に分けて反映するようにしてもよい。この場合、表示出力された画像の解像感が増すことで見栄えが良くなる。また、第１画素３１Ａの出力と第２画素３１Ｂの出力とで色が近似する場合、白（Ｗ）の出力が同一であることが望ましい。
【００６１】
（信号処理部の処理：解像感の向上）
なお、図１３〜図２０に示す例では、信号処理部２１は、入力画像信号のうち白色に変換可能な成分を他の色の副画素３２よりも優先的に白色の副画素の出力に反映させる処理を行っているが、これは変換処理の一例であってこれに限られるものでない。例えば、信号処理部２１は、入力画像信号の成分のうち白色以外の色に変換可能な成分を白色の副画素よりも優先的に副画素３２の出力に反映させるようにしてもよい。また、第２画素３１Ｂの色域外成分を第１画素３１Ａに移動させる処理の後に、白色又は白色以外への変換に関する処理を行うようにしてもよい。図２１は、入力画像信号の成分の別の一例を示す図である。図２２は、図２１の入力画像信号の成分をイエロー（Ｙ）及びマゼンタ（Ｍ）の成分に変換した一例を示す図である。具体的には、例えば第２画素３１Ｂに対応する入力画像信号の成分が図２１に示すような成分である場合、赤（Ｒ）、緑（Ｇ）の成分の組み合わせによりイエロー（Ｙ）の副画素（第６副画素３２Ｙ）を点灯させるとともに赤（Ｒ）、青（Ｂ）の成分の組み合わせによりマゼンタ（Ｍ）の副画素（第５副画素３２Ｍ）を点灯させるようにしてもよい。すなわち、信号処理部２１は、図２１に示すような成分のうち赤（Ｒ）、緑（Ｇ）、青（Ｂ）の成分の組み合わせにより白（Ｗ）の副画素（第８副画素３２Ｗ２）を発光させるようにしてもよいが、白（Ｗ）以外の副画素３２の発光を優先するようにしてもよい。信号処理部２１は、白（Ｗ）以外の副画素３２の発光を優先した場合、図２２に示すように、イエロー（Ｙ）及びマゼンタ（Ｍ）の副画素を発光させるための出力信号を生成する。このように、白（Ｗ）の副画素よりも白（Ｗ）以外の副画素に入力画像信号の成分を優先的に反映することで、表示出力における解像感をより向上させることができる。
【００６２】
入力画像信号の成分のうち白色以外の色に変換可能な成分を白色の副画素よりも優先的に副画素３２の出力に反映させる処理は、第２画素３１Ｂに限らず、第１画素３１Ａにも適用してよい。また、信号処理部２１は、第１画素３１Ａ及び第２画素３１Ｂの各々が有する白色の副画素のうち出力がより小さい一方の副画素の出力に応じて他方の副画素の出力を決定するようにしてもよい。図２３は、図２１の入力画像信号の赤（Ｒ）、緑（Ｇ）、青（Ｂ）の成分を白（Ｗ）の成分に変換した一例を示す図である。図２４は、図２１の入力画像信号の赤（Ｒ）、緑（Ｇ）、青（Ｂ）の成分を白（Ｗ）の成分に変換した別の一例を示す図である。例えば一組の画素３５に含まれる第１画素３１Ａに対応する入力画像信号及び当該一組の画素３５に含まれる第２画素３１Ｂに対応する入力画像信号がともに図２１に示すような赤（Ｒ）、緑（Ｇ）、青（Ｂ）の成分を示す入力画像信号である場合について考える。この場合、仮に白（Ｗ）への変換を優先した場合、第１画素３１Ａの出力を示す成分は、図２３に示すように、赤（Ｒ）及び白（Ｗ）のみの成分になる。ここで、第２画素３１Ｂの出力を示す成分が、図２２に示すように、白（Ｗ）の副画素（第８副画素３２Ｗ２）の発光を伴わない成分である場合、第１画素３１Ａが有する白（Ｗ）の副画素（第４副画素３２Ｗ１）の出力と第２画素３１Ｂが有する白（Ｗ）の副画素（第８副画素３２Ｗ２）の出力との差により表示出力における粒状感が顕在化することがある。そこで、第１画素３１Ａに対応する入力画像信号の成分のうち白（Ｗ）に変換可能な成分の一部を白（Ｗ）に変換せずに赤（Ｒ）、緑（Ｇ）、青（Ｂ）に振り分けることで、図２４に示すように、赤（Ｒ）、緑（Ｇ）、青（Ｂ）及び白（Ｗ）の全ての副画素（第１副画素３２Ｒ、第２副画素３２Ｇ、第３副画素３２Ｂ、第４副画素３２Ｗ１）が発光する状態にすることができる。このように、信号処理部２１は、例えば図２２に示すような第２画素３１Ｂが有する白色の副画素の出力に基づいて、図２４に示すように第１画素３１Ａが有する白色の副画素の出力を調節するようにしてもよい。これにより、表示出力における粒状感をより低減することができる。図２１〜図２４を参照した例では、白（Ｗ）の副画素の出力がより小さい第２画素３１Ｂの第８副画素３２Ｗ２の出力に応じて第１画素３１Ａが有する第４副画素３２Ｗ１の出力を決定しているが、例えばこれらの副画素の出力の大小関係が逆である場合等に、第１画素３１Ａが有する第４副画素３２Ｗ１の出力に応じて第２画素３１Ｂが有する第８副画素３２Ｗ２の出力を決定するようにしてもよい。
【００６３】
第２画素３１Ｂが有する白色の副画素の出力と第１画素３１Ａが有する白色の副画素の出力との関係は任意であるが、例えば当該関係が予め定められたデータ（テーブルデータ等）を用意し、入力画像信号の処理に際して当該データに応じた処理を信号処理部２１に行わせるようにすることで、自動的に白色の副画素の出力を調節することができる。なお、信号処理部２１は、第１画素３１Ａ及び第２画素３１Ｂの各々の画素の出力による輝度の総量のうち一方の画素が有する白色の副画素の出力による輝度の量に基づいて、他方の画素が有する白色の副画素の出力を調節するようにしてもよい。
【００６４】
（信号処理部の処理：変換の優先順と変換結果の合成）
また、信号処理部２１は、入力画像信号の色相及び彩度並びに色域外成分の輝度比に応じて、入力画像信号に応じた各画素の副画素３２の出力の決定方法を変更するようにしてもよい。色域外成分の輝度比とは、色域外成分を移動させる前の第２画素の輝度に対する色域外成分の輝度比をさす。図２５は、第１画素３１Ａ及び第２画素３１Ｂの入力画像信号の成分である赤（Ｒ）、緑（Ｇ）、青（Ｂ）の値の一例を示す図である。図２６は、図２５に示す成分のうち白（Ｗ）に変換可能な成分を優先して白（Ｗ）に変換した場合の一例を示す図である。図２７は、図２６に示す成分のうち第２画素３１Ｂが有する白（Ｗ）以外の副画素３２の色に変換可能な成分を変換した一例を示す図である。図２８は、図２５に示す成分のうち第２画素３１Ｂが有する白（Ｗ）以外の副画素３２の色に変換可能な成分を優先して当該色に変換した場合の一例を示す図である。図２９は、図２８に示す成分のうち白（Ｗ）に変換可能な成分を変換した一例を示す図である。図３０は、図２９に示す成分に対して輝度調整成分による輝度調整を行った場合の一例を示す図である。例えば、図２５に示すように、一組の画素３５に含まれる第１画素３１Ａに対応する入力画像信号及び当該一組の画素３５に含まれる第２画素３１Ｂに対応する入力画像信号がともに（Ｒ，Ｇ，Ｂ）＝（２２０，２２０，１１０）である場合について考える。この場合において、白（Ｗ）に変換可能な成分を優先して白（Ｗ）に変換したとき、図２６に示すように、第１画素３１Ａ及び第２画素３１Ｂの白（Ｗ）の成分は、（Ｒ，Ｇ，Ｂ）＝（１１０，１１０，１１０）に対応した成分（１１０）になる。このとき、（Ｒ，Ｇ，Ｂ）＝（１１０，１１０，０）は、白（Ｗ）に変換されない成分として残る。その後、第２画素３１Ｂの成分のうち、第２画素３１Ｂが有する副画素３２の色で再現可能な成分を第２画素３１Ｂが有する副画素３２の色に変換すると、図２７に示すように、（Ｒ，Ｇ，Ｂ）＝（１１０，１１０，０）の成分は、イエロー（Ｙ）の成分（１１０）に変換される。この例の場合、色域外成分は生じない。一方、図２５に示す入力画像信号の成分に対して、白（Ｗ）以外に変換可能な成分を優先して白（Ｗ）以外の副画素３２の色に変換したとき、例えば図２８に示すように、（Ｒ，Ｇ，Ｂ）＝（２２０，２２０，０）の成分は、イエロー（Ｙ）の成分（２２０）に変換される。このとき、第２画素３１Ｂの成分のうち、（Ｒ，Ｇ，Ｂ）＝（０，０，１１０）の成分は、色域外成分（図２８に示す色域外成分Ｏ２）となって第１画素３１Ａにおける副画素３２の出力に反映される。この例の場合、第１画素３１Ａに対応する入力画像信号の成分である（Ｒ，Ｇ，Ｂ）＝（２２０，２２０，１１０）の成分に、色域外成分である（Ｒ，Ｇ，Ｂ）＝（０，０，１１０）の成分が加算されることになる。その後、図２９に示すように、第１画素３１Ａに対応する入力画像成分のうち、白（Ｗ）に変換可能な成分が白（Ｗ）に変換される。すなわち、（Ｒ，Ｇ，Ｂ）＝（２２０，２２０，２２０）の成分は、白（２２０）に変換される。その後、色域外成分に対応する輝度調整が行われることで、図３０に示すように、第１画素３１Ａが有する白色の副画素（第４副画素３２Ｗ１）の成分から輝度調整成分に対応する白（Ｗ）の成分（例えば、α）が減じられると共に、第２画素３１Ｂが有する白色の副画素（第８副画素３２Ｗ２）の成分に加味される。
【００６５】
図２７に示す副画素３２の出力は、図３０に示す副画素３２の出力に比して、点灯する副画素３２がより多いことから、粒状感の低減においてより優れる。図３０に示す副画素３２の出力は、図２７に示す副画素３２の出力に比して、点灯する副画素３２がより少ないことから、省電力性においてより優れる。
【００６６】
信号処理部２１は、隣接する第１画素３１Ａと第２画素３１Ｂの２画素に対応する入力画像信号に基づいた当該第１画素３１Ａの副画素３２の出力及び当該第１画素３１Ａに隣接する第２画素３１Ｂの副画素３２の出力の組み合わせが複数ある場合、第１画素３１Ａの輝度分布と第２画素３１Ｂの輝度分布とがより近似する第１画素３１Ａの副画素３２の出力及び第２画素３１Ｂの副画素３２の出力を採用するようにしてもよい。例えば、第１画素３１Ａが有する副画素３２の点灯数と第２画素３１Ｂが有する副画素３２の点灯数とを（Ａ：Ｂ）で対比した場合に、入力画像信号の成分を白色成分に優先的に変換したときに（Ａ：Ｂ）＝（ａ：ｂ）が成立し、入力画像信号の成分を白色以外の成分に優先的に変換したときに（Ａ：Ｂ）＝（ｃ：ｄ）が成立したとする。ここで、ａとｂとの差の絶対値とｃとｄとの差の絶対値のうちより小さいほうの結果を採用するようにしてもよい。すなわち、各画素の副画素３２の点灯の有無の差がより小さい出力結果の方が、画素における輝度分布がより近似することになり、輝度の偏りが生じにくいことから、そのような出力結果を採用するようにしてもよい。また、信号処理部２１は、各画素で点灯する副画素３２の配置及び点灯する副画素３２の出力の強弱に基づいて、第１画素３１Ａの輝度分布と第２画素３１Ｂの輝度分布とがより近似する第１画素３１Ａの副画素３２の出力及び第２画素３１Ｂの副画素３２の出力を採用するようにしてもよい。
【００６７】
図３１は、第１画素３１Ａ及び第２画素３１Ｂの入力画像信号の成分である赤（Ｒ）、緑（Ｇ）、青（Ｂ）の値の別の一例を示す図である。図３２は、図３１に示す成分のうち白（Ｗ）に変換可能な成分を優先して白（Ｗ）に変換した場合の一例を示す図である。図３３は、図３２に示す変換により生じた第２画素３１Ｂの色域外成分を第１画素３１Ａに移した一例を示す図である。図３４は、図３３に示す成分に対して輝度調整成分による輝度調整を行った場合の一例を示す図である。図３５は、図３１に示す成分のうち第２画素３１Ｂが有する白（Ｗ）以外の副画素３２の色に変換可能な成分を優先して当該色に変換した場合の一例を示す図である。図３６は、図３５に示す成分のうち白（Ｗ）に変換可能な成分を変換した一例を示す図である。図３１に示すように、一組の画素３５に含まれる第１画素３１Ａに対応する入力画像信号及び当該一組の画素３５に含まれる第２画素３１Ｂに対応する入力画像信号がともに（Ｒ，Ｇ，Ｂ）＝（２２０，１１０，１１０）である場合について考える。この場合において、白（Ｗ）に変換可能な成分を優先して白（Ｗ）に変換したとき、図３２に示すように、第１画素３１Ａ及び第２画素３１Ｂの白（Ｗ）の成分は、（Ｒ，Ｇ，Ｂ）＝（１１０，１１０，１１０）に対応した成分（１１０）になる。このとき、（Ｒ，Ｇ，Ｂ）＝（１１０，０，０）は、白（Ｗ）に変換されない成分として残る。ここで、（Ｒ，Ｇ，Ｂ）＝（１１０，０，０）は、第２画素３１Ｂが有する副画素３２の色で再現できないことから、色域外成分（図３３に示す色域外成分Ｏ３）となって第１画素３１Ａにおける副画素３２の出力に反映される。すなわち、図３３に示すように、第２画素３１Ｂにおいて白色以外の副画素３２の出力に反映される成分はなくなる。また、第１画素３１Ａにおける赤（Ｒ）の成分は、色域外成分が加味された成分（２２０）になる。色域外成分に対応する輝度調整が行われることで、図３４に示すように、第１画素３１Ａが有する白色の副画素（第４副画素３２Ｗ１）の成分から輝度調整成分に対応する白（Ｗ）の成分（例えば、β）が減じられると共に、第２画素３１Ｂが有する白色の副画素（第８副画素３２Ｗ２）の成分に加味される。一方、図３１に示す入力画像信号の成分に対して、白（Ｗ）以外に変換可能な成分を優先して白（Ｗ）以外の副画素３２の色に変換したとき、例えば図３５に示すように、（Ｒ，Ｇ，Ｂ）＝（１１０，１１０，０）の成分は、イエロー（Ｙ）の成分（１１０）に変換される。また、（Ｒ，Ｇ，Ｂ）＝（１１０，０，１１０）の成分は、マゼンタ（Ｍ）の成分（１１０）に変換される。この例の場合、色域外成分は生じない。また、この例の場合、図３６に示すように、第２画素３１Ｂの成分のうち、第２画素３１Ｂの白色の副画素（第８副画素３２Ｗ２）の出力に反映される成分は生じない。白色に変換可能な成分が残っている場合、当該成分が第８副画素３２Ｗ２の出力に反映される。一方、第１画素３１Ａの成分のうち、（Ｒ，Ｇ，Ｂ）＝（１１０，１１０，１１０）に対応した成分が白（Ｗ）の成分（１１０）に変換され、残りの（Ｒ，Ｇ，Ｂ）＝（１１０，０，０）に対応する成分が赤（Ｒ）の成分（１１０）として残る。
【００６８】
信号処理部２１は、画像入力信号の成分を白色に優先して変換する場合の結果と、画像入力信号の成分を白色以外の色に優先して変換する場合の結果との両方に基づいて、一組の画素３５に含まれる各画素３１が有する副画素３２の出力を決定するようにしてもよい。図３７は、図３４に示す変換結果と図３６に示す変換結果との合成の一例を示す図である。例えば、図３４に示す例では、一組の画素３５が有する八つの副画素３２のうち点灯する副画素３２が三つ（第１副画素３２Ｒ、第４副画素３２Ｗ１、第８副画素３２Ｗ２）である。また、図３６に示す例では、一組の画素３５が有する八つの副画素３２のうち点灯する副画素３２が四つ（第１副画素３２Ｒ、第４副画素３２Ｗ１、第５副画素３２Ｍ、第６副画素３２Ｙ）である。ここで、図３４に示す出力と図３６に示す出力をそれぞれ所定の比率（例えば１：１）で合成すると、図３７に示すように、点灯する副画素３２が五つ（第１副画素３２Ｒ、第４副画素３２Ｗ１、第５副画素３２Ｍ、第６副画素３２Ｙ、第８副画素３２Ｗ２）になる。このため、粒状感をより低減することができる。画像入力信号の成分を白色に優先して変換する場合の結果と画像入力信号の成分を白色以外の色に優先して変換する場合の結果との合成比率は任意である。当該合成比率は、入力画像信号が示す色相及びそれぞれの結果が示す色相の少なくともいずれか一つに応じて変更されるようにしてもよい。この場合、各色相の合成比率を示すデータ（テーブルデータ等）を用意し、入力画像信号の処理に際して当該データに応じた処理を信号処理部２１に行わせるようにすることで、自動的に合成比率を決定することができる。なお、結果の合成に伴い生じる端数の処理については任意である。
【００６９】
さらに、信号処理部２１は、白色に変換された成分の一部を白色以外の成分に分けてもよい。図３８は、図３７に示す合成結果が示す成分のうち白色に変換された成分の一部を白色以外の成分に分けた場合の一例を示す図である。図３９は、図３８に示す成分に対して輝度調整成分による輝度調整を行った場合の一例を示す図である。具体的には、信号処理部２１は、例えば図３７に示す副画素３２の出力のうち、第４副画素３２Ｗ１の出力に反映されている成分の一部（γ）を、第２副画素３２Ｇ及び第５副画素３２Ｍに振り分けるように再配分してもよい。この場合、図３８に示すように、第２副画素３２Ｇ及び第５副画素３２Ｍに振り分けられた成分（δ、ε）がそれぞれ第２副画素３２Ｇ及び第５副画素３２Ｍの出力に反映される。また、この場合、第５副画素３２Ｍに振り分けられた成分（ε）の分だけ第１画素３１Ａから第２画素３１Ｂに輝度が移されていることになる。よって、信号処理部２１は、図３９に示すように、第５副画素３２Ｍに振り分けられた成分（ε）に対応する輝度の分だけ第８副画素３２Ｗ２の出力に対応する成分（ζ）を減じるとともに、この成分（ζ）を第４副画素３２Ｗ１の出力に反映する。このような再配分を行う場合において、再配分前の色の成分に対して再配分される成分の割合は任意であるが、各画素間の色相、彩度及び輝度の関係が変換しない程度であることが望ましい。
【００７０】
図１３〜図３９を参照した説明では、入力画像信号の成分等を白又は白以外の色に変換する処理を一つのステップとして複数のステップを実行する変換方法が採用されているが、これは変換処理の流れの一例であってこれに限られるものでない。例えば、カラーマネジメントの仕組みにより、入力画像信号の成分（Ｒ，Ｇ，Ｂ）を、各画素３１の副画素３２の色に対応する任意の色に変換するようにしてもよい。具体例を挙げると、３×３行列のデータを用いることで、入力画像信号の成分（Ｒ，Ｇ，Ｂ）を、第２画素３１Ｂが有する３色の成分（Ｃ，Ｍ，Ｙ）に変換することもできる。カラーマネジメントの仕組みで変換する場合に、入力画像信号の成分のうち変換したい成分の比率を設定するようにしてもよい。
【００７１】
（信号処理部の処理：斜め線の解消）
入力画像信号が特定の色に対応する成分を有する場合、表示領域Ａに特定方向（例えば斜め方向）の線があるように見えることがある。図４０、図４１及び図４２は、青色成分の斜め線が存するように見える場合の一例を示す図である。具体的には、例えば図６に示す画素３１及び副画素３２の配置である場合、一組の画素３５以上の範囲にマゼンタ（Ｍ）に対応する入力画素信号が入力されたとき、図４０、図４１及び図４２に示すように、第１画素３１Ａでは第１副画素３２Ｒと第３副画素３２Ｂとの組み合わせによるマゼンタの色再現が行われると共に、第２画素３１Ｂでは第５副画素３２Ｍによるマゼンタの色再現が行われる。このとき、他の副画素３２（第２副画素３２Ｇ、第４副画素３２Ｗ１、第６副画素３２Ｙ、第７副画素３２Ｃ、第８副画素３２Ｗ２）は色再現に用いられない。ここで、第３副画素３２Ｂからの光が有する青色成分と、第５副画素３２Ｍからの光が有する青色成分とによって、第３副画素３２Ｂと第５副画素３２Ｍとが連続する斜め方向に青色成分の斜め線が存するように見えることがある。図４０は、全ての画素３１に対応する入力画像信号の成分が（Ｒ，Ｇ，Ｂ）＝（１９２，０，１２８）である場合の図である。図４０では、斜め線を構成する副画素をマーキングしている。
【００７２】
なお、上記の例は、図６に示す画素３１及び副画素３２の配置である場合に、マゼンタ（Ｍ）に対応する入力画素信号が入力された場合の斜め方向の線について示しているが、線が現れるのはこの場合に限られない。図６に示す画素３１及び副画素３２の配置以外の配置である場合、マゼンタ（Ｍ）に対応する入力画素信号では線が現れないが、他の色に対応する入力画像信号で現れるようになる。具体的には、例えば第１画素３１Ａの副画素３２のうち一つの色に対応する副画素３２（例えば、第１副画素３２Ｒ）と、当該色を成分として有する第２画素３１Ｂの副画素３２（例えば、赤（Ｒ）の原色が成分に含まれるマゼンタ（Ｍ）又はイエロー（Ｙ）に対応する第５副画素３２Ｍ又は第６副画素３２Ｙ）とが斜め方向に連続する場合、マゼンタ（Ｍ）又はイエロー（Ｙ）に対応する入力画像信号が入力されたとき、赤色成分の斜め線が見えることになる。他の画素３１及び副画素３２の配置並びに入力画像信号の場合でも、何らかの色でこのような線が現れることがある。
【００７３】
このような線は、線を構成する副画素３２（図６、図４０、図４１及び図４２の場合、第３副画素３２Ｂと第５副画素３２Ｍ）に共通する入力画像信号の成分（マゼンタ（Ｍ）の場合、青（Ｂ）の成分）の彩度がより高い場合により見えやすくなる。また、線を構成する副画素３２に隣接する副画素３２に対応する入力画像信号の成分の彩度がより低いとき、線はより見えやすくなる。このように、一直線状に連続して点灯する同一の色成分を有する画素の線が見えるのは、当該同一の色成分を有する副画素３２からの出力と当該同一の色成分を有する副画素３２に隣接する副画素３２からの出力との間に所定以上の差がある場合である。線が見えるようになる所定以上の差は、同一の色成分を有する副画素３２の色及び当該副画素３２に隣接する副画素３２の色によって異なる差となりうるので、第１画素３１Ａ及び第２画素３１Ｂがそれぞれ有する副画素３２の配置に応じて設定される。このように、第１の色域に含まれる４色の副画素３２で構成される第１画素３１Ａと、第１の色域とは異なる第２の色域に含まれる４色の副画素３２で構成される第２画素３１Ｂとが千鳥状に配置されており、かつ、副画素３２がマトリクス状に配置されている画像表示部３０を有する画像表示装置１００で、信号処理部２１が第１画素３１Ａに対応する入力画像信号の成分である第１成分に基づいて第１画素３１Ａが有する副画素３２の出力を決定し、第２画素３１Ｂに対応する入力画像信号の成分である第２成分に基づいて第２画素３１Ｂが有する副画素３２の出力を決定した場合に、同一の色成分（例えば、マゼンタ（Ｍ）に含まれる青色成分）を含む副画素３２（例えば、第３副画素３２Ｂ及び第５副画素３２Ｍ）が一直線状に連続して点灯し、かつ、当該同一の色成分を有する副画素３２からの出力と当該同一の色成分を有する副画素３２に隣接する副画素３２からの出力との間に所定以上の差がある状態になるとき、表示領域Ａに特定方向（例えば斜め方向）の線があるように見えることがある。
【００７４】
信号処理部２１は、上記の線の視認性をより低減するための処理を行ってもよい。当該処理として、信号処理部２１は、例えば、第１成分のうち一部又は全部の成分であって同一の色成分を含む調整成分を除いた成分に基づいて第１画素３１Ａが有する副画素３２の出力を決定し、第２成分及び調整成分に基づいて第２画素３１Ｂが有する副画素３２の出力を決定する。具体例として、図４０に示す例における当該処理について説明する。この例の場合、信号処理部２１は、例えば第１画素３１Ａに対応する入力画像信号の成分（Ｒ，Ｇ，Ｂ）＝（１９２，０，１２８）のうち、マゼンタ（Ｍ）として再現される成分であって所定の割合の成分を調整成分とする。ここで、所定の割合が５０％である場合、すなわち、調整成分が、第１成分における同一の色成分の半分の成分に対応する場合、調整成分は、（Ｒ，Ｇ，Ｂ）＝（６４，０，６４）になる。また、所定の割合が１００％である場合、調整成分は、（Ｒ，Ｇ，Ｂ）＝（１２８，０，１２８）になる。信号処理部２１は、第１画素３１Ａに対応する入力画像信号の成分から調整成分を除いた成分に基づいて第１画素３１Ａが有する副画素３２の出力を決定し、第２画素３１Ｂに対応する入力画像信号の成分及び調整成分に基づいて第２画素３１Ｂが有する副画素３２の出力を決定する。
【００７５】
調整成分による出力の制御がない場合、第１画素３１Ａが有する第３副画素３２Ｂ及び第２画素３１Ｂが有する第５副画素３２Ｍの成分は、それぞれ「１２８」及び「１２８」である。これに対し、例えば所定の割合が５０％で、調整成分が（Ｒ，Ｇ，Ｂ）＝（６４，０，６４）である場合、第３副画素３２Ｂ及び第５副画素３２Ｍの成分は、それぞれ「６４」及び「１９２」になる。また、所定の割合が１００％で、調整成分が（Ｒ，Ｇ，Ｂ）＝（１２８，０，１２８）である場合、第３副画素３２Ｂ及び第５副画素３２Ｍの成分は、それぞれ「０」及び「２５５」になる。このように、第３副画素３２Ｂの出力が低減されるように調整成分を設定することで、斜め方向に同等の青色成分が連続する状態をより低減することができる。すなわち、マゼンタ（Ｍ）の色再現に際する青色成分の線の発生を抑制することができる。調整成分に関する処理は、他の画素３１及び副画素３２の並びにおいて他の色に対応する出力が行われる場合に発生し得る同様の線についても同様に適用することができる。
【００７６】
図４３は、第１画素３１Ａに対応する入力画像信号の成分のうちマゼンタ（Ｍ）として再現可能な成分の５０％を調整成分とした場合の一例を示す図である。図４４は、第１画素３１Ａに対応する入力画像信号の成分のうちマゼンタ（Ｍ）として再現可能な成分の１００％を調整成分とした場合の一例を示す図である。入力画像信号の成分と調整成分との関係（例えば、所定の割合）は、任意である。例えば、図４４に示す例のように、連続する副画素の一方（第３副画素３２Ｂ）の出力がない状態にすることで、粒状感が増すものの、線の発生をより確実に抑制することができる。また、図４３に示す例のように、連続する副画素の一方（第３副画素３２Ｂ）の出力を下げた状態で出力させることで、線の発生の抑制と粒状感の発生の抑制の両方のバランスを取ることができる。このように、入力画像信号の成分と調整成分との関係（例えば、所定の割合）は、線の発生の抑制、粒状感等のバランスに応じて適宜決定されるものであってよい。入力画像信号の成分と調整成分との関係（例えば、所定の割合）を示すデータ（テーブルデータ等）を用意し、入力画像信号の処理に際して当該データに応じた処理を信号処理部２１に行わせるようにすることで、自動的に線の発生を抑止するための処理を適用することができる。
【００７７】
また、線の発生の抑止のための処理方法は、上記の方法に限られない。例えば、一組の画素３５単位での処理に限らず、各画素３１が有する白（Ｗ）の副画素を中心として、この白（Ｗ）の副画素の周囲に存する８画素（行方向、列方向及び斜め方向）に対して入力画像信号の成分のうち調整成分を分散させるようにすることで、同様の効果を得ることができる。なお、調整成分は、第１成分における同一の色成分の半分の成分に限られない。例えば、上記の線の色成分の色相や彩度に応じた調整成分の度合い（例えば０〜１００％の間で定められた割合）を示すデータ（調整成分のテーブル等）を設け、当該データに基づいて調整成分を決定するようにしてもよい。
【００７８】
（信号処理部の処理：エッジずれの抑制）
次に、第２画素３１Ｂに対応する入力画像信号が画像のエッジに対応する入力画像信号である場合について説明する。画像表示部３０は、複数の画素３１の各々に対応する入力画像信号に応じた出力を行うことで表示領域Ａに画像を表示出力する。ここで、各画素３１の入力画像信号間で生じる色の境界（エッジ）に対応する画素の入力画像信号に対応する成分（例えば、上記の色域外成分等）を他の画素に移す処理を行った場合、移される成分によってエッジにずれが生じることがある。なお、エッジとは、隣り合う画素間での色相、彩度、輝度の少なくとも１つを大きく相違させることで、これら隣接画素間には明らかに色の境界が存在すると認識し得るものであって、例えば背景を黒とした場合の白色や他の色による文字や線や図形（あるいはその逆）の境界のことをいう。なお、さらに具体的なエッジの判断（判定）については後述する。
【００７９】
図４５は、第１画素３１Ａ及び第２画素３１Ｂがそれぞれ独立して入力画像信号の成分に応じた出力を行うことができる場合の一例を示す図である。図４６は、第２画素３１Ｂに対応する入力画像信号の成分を第２画素３１Ｂで再現しようとした場合に色域外成分が生じたときの一例を示す図である。第１画素３１Ａ及び第２画素３１Ｂがそれぞれ独立して入力画像信号の成分に応じた出力を行うことができる場合、いずれの画素３１がエッジに対応する画素であってもエッジずれは生じない。例えば、図４５に示すように、第１画素３１Ａに対応する入力画像信号が（Ｒ，Ｇ，Ｂ）＝（０，０，０）で、第２画素３１Ｂに対応する入力画像信号が（Ｒ，Ｇ，Ｂ）＝（２５５，２５５，２５５）である場合、いずれの画素も独立して入力画像信号の成分に応じた出力を行うことができるため、エッジずれは生じない。一方、第２画素３１Ｂに対応する入力画像信号が画像におけるエッジに対応する画素の信号であった場合、第２画素３１Ｂに対応する入力画像信号の成分を第２画素３１Ｂで再現しようとした場合に色域外成分が生じて色域外成分が第１画素３１Ａに移されたとき、図４６及び後述する図４９に示すように、エッジの位置が第２画素３１Ｂから第１画素３１Ａにずれて出力されてしまうエッジずれが生じうる。例えば、図４６に示すように、第１画素３１Ａに対応する入力画像信号が（Ｒ，Ｇ，Ｂ）＝（０，０，０）で、第２画素３１Ｂに対応する入力画像信号が（Ｒ，Ｇ，Ｂ）＝（２５５，０，０）である場合、第２画素３１Ｂで色域外成分となる赤（Ｒ）の成分（２５５）が第１画素３１Ａに移されることで、入力画像信号に基づいた黒の出力（第１画素３１Ａ）と赤の出力（第２画素３１Ｂ）の位置に対して、黒の出力が行われる画素と赤の出力が行われる画素の位置が入れ替わるエッジずれが生じる。このエッジずれは、移される成分（例えば色域外成分等）が生じた画素（例えば図４６における第２画素３１Ｂ）に隣接しない副画素３２（例えば、図４６における第１副画素３２Ｒ）に対して当該成分が移された場合により顕著に生じる。
【００８０】
信号処理部２１は、エッジに対応する画素の入力画像信号の成分について、当該成分の一部又は全部の移動に関する例外処理を行ってもよい。例えば、信号処理部２１は、第２画素３１Ｂに対応する入力画像信号が画像のエッジに対応する入力画像信号である場合、第２画素３１Ｂで光の出力が行われる副画素３２に隣接しない第１画素３１Ａの副画素３２の出力に色域外成分を反映しないようにしてもよい。具体的には、信号処理部２１は、第２画素３１Ｂが有する副画素３２のうち色域外成分を含む色である副画素３２の出力に色域外成分を反映させるようにしてもよい。
【００８１】
図４７は、第２画素３１Ｂが有する副画素３２のうち色域外成分を含む色である副画素３２の出力に色域外成分を反映させた場合の一例を示す図である。例えば、第２画素３１Ｂに対応する入力画像信号がエッジに対応する画素の入力画像信号であって、かつ、第２画素３１Ｂに対応する入力画像信号の成分が、（Ｒ，Ｇ，Ｂ）＝（０，０，２２０）である場合、信号処理部２１は、当該入力画像信号が示す青色成分を第２画素３１Ｂが有する副画素３２のうち青色成分を有する副画素３２（第５副画素３２Ｍ及び第７副画素３２Ｃ）の両方に反映させる。具体的には、信号処理部２１は、第２画素３１Ｂに対応する入力画像信号が示す色の色相、彩度、輝度のうち、色相及び輝度を維持し、彩度のみ低下することを許容して第２画素３１Ｂが有する副画素３２の出力を決定する。より具体的には、信号処理部２１は、例えば図４７に示すように、青色成分を含む第５副画素３２Ｍ及び第７副画素３２Ｃの各々を、入力画像信号の色相及び彩度を維持する点灯状態（例えば、（Ｃ，Ｍ，Ｙ）＝（５５，５５，０））で出力させることで、当該青色成分（２２０）を出力する。本実施例では、赤（Ｒ）、緑（Ｇ）、青（Ｂ）の補色であるシアン（Ｃ）、マゼンタ（Ｍ）、イエロー（Ｙ）の輝度が赤（Ｒ）、緑（Ｇ）、青（Ｂ）の２倍の輝度を有していることから、このような出力になる。このように、本実施形態では、第２画素３１Ｂの出力において色域外成分と同じ色相となる補色を用いる。このような出力とした場合、入力画像信号の完全な色再現にはならないが、エッジずれを生じさせることなく、入力画像信号により近い色再現を行うことができる。
【００８２】
図４８は、全ての画素が第１画素３１Ａである表示領域Ａにおいて複数の画素により原色の文字が１画素分の幅の線で描画される場合の一例を示す図である。図４９は、図４８の描画内容と同一の入力画像信号に対して単純に色域外成分を移動させた場合に生じ得るエッジずれの一例を示す図である。図５０は、図４８の描画内容と同一の入力画像信号に対して第２画素３１Ｂが有する副画素３２のうち色域外成分を含む色である副画素３２の出力に色域外成分を反映させた場合の描画内容の一例を示す図である。なお、図４９及び図５０は、第１画素３１Ａと第２画素３１Ｂとが隣接している表示領域Ａにおける出力例である。例えば、図４８に示すような、複数の画素により原色（例えば緑色）の文字が１画素分の幅の線で描画される入力画像信号に対して単純に色域外成分を移動させた場合、図４９のようにエッジずれによる文字の崩れが生じることがある。一方、図４７の例で示したように、第２画素３１Ｂが有する副画素３２のうち色域外成分を含む色である副画素３２の出力に色域外成分を反映させることで、図５０に示すように、エッジずれによる文字の崩れを抑制することができる。
【００８３】
図４７に示す例では、青色成分を含むシアン（Ｃ）とマゼンタ（Ｍ）の青（Ｂ）に対する色相のずれが略同一であることを前提に、青色成分を第５副画素３２Ｍ及び第７副画素３２Ｃの二つの画素に振り分けているが、これは一例であってこれに限られるものでない。第２画素３１Ｂが有する副画素３２のうち色域外成分により近い色に対応する副画素３２が一つに絞られる場合、当該一つの副画素３２の出力に当該色域外成分が反映されるようにしてもよい。第２画素３１Ｂに対応する入力画像信号がエッジに対応する画素の入力画像信号であって、かつ、第２画素３１Ｂに対応する入力画像信号の成分に色域外成分が含まれる場合に、どの画素に当該色域外成分を反映させるかは、色域外成分と第２画素３１Ｂが有する副画素３２の色との関係に応じて決定される。
【００８４】
また、信号処理部２１は、第２画素３１Ｂに対応する入力画像信号が画像のエッジに対応する入力画像信号である場合、他の処理方法により第２画素３１Ｂで光の出力が行われる副画素３２に隣接しない第１画素３１Ａの副画素３２の出力に色域外成分を反映しないようにしてもよい。具体的には、第１画素３１Ａと第２画素３１Ｂとが千鳥状に配置されている画像表示部３０において、信号処理部２１は、一組の画素３５に含まれる第２画素３１Ｂに対応する入力画像信号が画像のエッジに対応する入力画像信号である場合、当該第２画素３１Ｂに対応する色域外成分を当該第２画素３１Ｂに隣接する他の組に含まれる第１画素３１Ａが有する副画素３２のうち当該第２画素３１Ｂで光の出力が行われる副画素３２に隣接する副画素３２の出力の決定に用いるようにしてもよい。以下、図５１及び図５２を参照してこの場合の例を説明する。図５１は、第２画素３１Ｂの右側に存する他の組の第１画素３１Ａが有する副画素３２に色域外成分が移される場合の一例を示す図である。図５２は、第２画素３１Ｂの下側に存する他の組の第１画素３１Ａが有する副画素３２に色域外成分が移される場合の一例を示す図である。なお、図５１及び図５２に示す例では、全ての第１画素３１Ａに対応する入力画像信号は、（Ｒ，Ｇ，Ｂ）＝（０，０，０）であるものとする。また、図５１に示す例では、第２画素３１Ｂに対応する入力画像信号は、（Ｒ，Ｇ，Ｂ）＝（２５５，１００，１００）であるものとする。また、図５２に示す例では、第２画素３１Ｂに対応する入力画像信号は、（Ｒ，Ｇ，Ｂ）＝（１００，２５５，１００）であるものとする。
【００８５】
図５１及び図５２に示す例は、画素３１の配置が図６に示す第１画素３１Ａ及び第２画素３１Ｂの配置であって、一つの第１画素３１Ａと当該第１画素３１Ａに対して右側に存する一つの第２画素３１Ｂとが一組の画素３５として扱われ、第２画素３１Ｂに対応する入力画像信号がエッジに対応する画素の入力画像信号であり、かつ、第２画素３１Ｂに対応する入力画像信号の成分に色域外成分が含まれることを前提とする。ここで、当該第２画素３１Ｂが有する副画素３２のうち色域外成分を除いた成分により発光するよう制御される副画素３２が第５副画素３２Ｍ（１００）及び第６副画素３２Ｙ（１００）であり、色域外成分が赤色成分である場合、信号処理部２１は、図５１に示すように、当該第２画素３１Ｂが有する第６副画素３２Ｙの右側に隣接する他の組の第１画素３１Ａ（例えば図５１の右側に存する第１画素３１Ａ）が有する第１副画素３２Ｒに赤色成分の色域外成分（５５）を反映させる。また、当該第２画素３１Ｂが有する副画素３２のうち色域外成分を除いた成分により発光するよう制御される副画素３２が第６副画素３２Ｙ（１００）及び第７副画素３２Ｃ（１００）であり、色域外成分が緑色成分である場合、信号処理部２１は、図５２に示すように、当該第２画素３１Ｂが有する第７副画素３２Ｃの下側に隣接する他の組の第１画素３１Ａ（例えば図５２の下側に存する第１画素３１Ａ）が有する第２副画素３２Ｇに緑色成分の色域外成分（５５）を反映させる。このように、第２画素３１Ｂで光の出力が行われる副画素３２に隣接する他の組の第１画素３１Ａが有する副画素３２の出力に色域外成分を反映させることで、エッジずれを最小限にしながらより高精度な色再現を行うことができる。同様に、例えば当該第２画素３１Ｂが有する副画素３２のうち色域外成分を除いた成分により発光するよう制御される副画素３２に第６副画素３２Ｙが含まれており、色域外成分が青色成分である場合、信号処理部２１は、第２画素３１Ｂの上側に存する他の組の第１画素３１Ａが有する第３副画素３２Ｂに青色成分の色域外成分を反映させることもできる。
【００８６】
また、信号処理部２１は、一組の画素３５に含まれる第２画素３１Ｂに対応する入力画像信号が画像のエッジに対応する入力画像信号である場合、第２画素３１Ｂと当該第２画素３１Ｂの色域外成分が反映される第１画素３１Ａとの間における彩度及び輝度の逆転、並びに、当該第１画素３１Ａに当該色域外成分が反映されない場合に色相を最も強く決定する色と当該第１画素３１Ａに当該色域外成分が反映される場合に色相を最も強く決定する色とが異なることによる色相の回転が発生しない範囲内で当該第１画素３１Ａが有する副画素３２の出力を決定するようにしてもよい。以下、図５３〜図５６を参照してこの場合の例を説明する。図５３は、エッジに対応する第２画素３１Ｂの入力画像信号の成分、色域外成分及び出力の一例を示す図である。この例の前提として、第２画素３１Ｂに対応する入力画像信号の成分に応じて、図５３に示すように、第２画素３１Ｂが有する副画素３２の出力（Ｃ，Ｍ，Ｙ）及び色域外成分が決定したものとする。図５３に示す入力画像信号の成分である赤（Ｒ）、緑（Ｇ）、青（Ｂ）の成分のうち、色域外成分が生じる成分は、緑色成分（緑（Ｇ））である。図５３〜図５６では、色域外成分に符号Ｏ４を付している。
【００８７】
図５４は、色域外成分が移された場合に第１画素３１Ａと第２画素３１Ｂとの間で彩度の高低関係の逆転が生じることがある第１画素３１Ａの入力画像信号の成分の一例を示す図である。図５３に示す色域外成分が反映される第１画素３１Ａに対応する入力画像信号の成分が図５４に示すような成分であった場合について考える。この場合、第１画素３１Ａ及び第２画素３１Ｂで最も彩度が高い成分は、緑色成分である。色域外成分が移される前の緑色成分を比較すると、第２画素３１Ｂに対応する入力画像信号の成分は、第１画素３１Ａに対応する入力画像信号の成分よりも大きい。すなわち、色域外成分が移される前、第２画素３１Ｂは、第１画素３１Ａよりも彩度が高い。一方、色域外成分が全て移された後の緑色成分を比較すると、第２画素３１Ｂに対応する入力画像信号の成分は、第１画素３１Ａに対応する入力画像信号の成分よりも小さい。すなわち、色域外成分が全て移されたと仮定すると、第２画素３１Ｂは、第１画素３１Ａよりも彩度が低くなる。このように、色域外成分に含まれる全ての成分が移された場合に第１画素３１Ａと第２画素３１Ｂとの間で彩度の高低関係が逆転するとき、信号処理部２１は、彩度の高低関係の逆転が生じない範囲内で第１画素３１Ａが有する副画素３２の出力を決定する。具体的には、色域外成分が減じられた後の第２画素３１Ｂにおける緑色成分未満の範囲内で第１画素３１Ａにおける緑色成分を高めるようにしてもよいし、色域外成分を全て破棄してもよい。
【００８８】
図５５は、色域外成分が移された場合に第１画素３１Ａと第２画素３１Ｂとの間で輝度の高低関係の逆転が生じることがある第１画素３１Ａの入力画像信号の成分の一例を示す図である。図５３に示す色域外成分が反映される第１画素３１Ａに対応する入力画像信号の成分が図５５に示すような成分であった場合について考える。色域外成分が移される前の第１画素３１Ａ及び第２画素３１Ｂの各々の入力画像信号の成分により生じる輝度を比べると、第２画素３１Ｂの輝度は、第１画素３１Ａの輝度よりも高い。一方、色域外成分が全て移された後の第１画素３１Ａ及び第２画素３１Ｂの各々の輝度を比べると、第２画素３１Ｂの輝度は、第１画素３１Ａの輝度よりも低い。このように、色域外成分に含まれる全ての成分が移された場合に第１画素３１Ａと第２画素３１Ｂとの間で輝度の高低関係が逆転するとき、信号処理部２１は、輝度の高低関係の逆転が生じない範囲内で第１画素３１Ａが有する副画素３２の出力を決定する。具体的には、第１画素３１Ａの輝度を色域外成分が減じられることにより低減された後の第２画素３１Ｂの輝度未満にすることができる範囲内で色域外成分を反映するようにしてもよいし、色域外成分を全て破棄してもよい。
【００８９】
図５６は、色域外成分が移された場合に第１画素３１Ａで色相の回転が生じることがある第１画素３１Ａの入力画像信号の成分の一例を示す図である。図５３に示す色域外成分が反映される第１画素３１Ａに対応する入力画像信号の成分が図５６に示すような成分であった場合について考える。この場合、色域外成分が移される前の第１画素３１Ａに対応する入力画像成分による色において最も彩度が高いのは赤色である。一方、色域外成分が全て移された後の成分による色において最も彩度が高いのは色域外成分の色（緑色）である。すなわち、色域外成分が全て移された場合、色域外成分が反映されない場合に色相を最も強く決定する色と当該第１画素３１Ａに当該色域外成分が反映される場合に色相を最も強く決定する色とが変わることによる色相の回転が生じる。信号処理部２１は、このような色相の回転が生じない範囲内で第１画素３１Ａが有する副画素３２の出力を決定する。具体的には、色域外成分が反映される前後で色相を最も強く決定する色が変わらない範囲内で色域外成分を反映するようにしてもよいし、色域外成分を全て破棄してもよい。
【００９０】
図５３〜図５６を参照して説明した例は、あくまで一例である。第１画素３１Ａ及び第２画素３１Ｂの入力画像成分及び色域外成分は図５３〜図５６の例に限られるものでなく、上記でこれらの図を参照して説明した仕組みが他の入力画像信号、色域外成分の場合にも適用されうる。
【００９１】
また、信号処理部２１は、第２画素３１Ｂに対応する入力画像信号が画像のエッジに対応する入力画像信号である場合、色域外成分を第１画素３１Ａ及び第２画素３１Ｂが有する副画素３２の出力に反映させないようにしてもよい。すなわち、信号処理部２１は、第２画素３１Ｂに対応する入力画像信号が画像のエッジに対応する入力画像信号であると判断された時点で、当該第２画素３１Ｂにおける色域外成分を破棄し、いずれの画素の出力にも反映させないようにしてもよい。これにより、より簡便な処理でエッジずれを抑制することができる。
【００９２】
なお、信号処理部２１は、第２画素３１Ｂに対応する入力画像信号が画像のエッジに対応する入力画像信号でない場合、図１３〜図４４を参照して説明した処理を以て第１画素３１Ａ及び第２画素３１Ｂの各々が有する副画素３２の出力を決定する。すなわち、信号処理部２１は、第２画素３１Ｂに対応する入力画像信号が画像のエッジに対応する入力画像信号でない場合、第１画素３１Ａに対応する入力画像信号の成分である第１成分及び隣接する第２画素３１Ｂに対応する入力画像信号のうち当該第２画素３１Ｂが有する副画素３２で色を再現することができない成分である色域外成分の合算成分に基づいて第１画素３１Ａが有する副画素３２の出力を決定し、第２画素３１Ｂに対応する入力画像信号の成分である第２成分から色域外成分を除いた第３成分に基づいて第２画素３１Ｂが有する副画素３２の出力を決定する。より具体的には、信号処理部２１は、例えば、一組の画素３５に関する処理を行う。一組の画素３５に関する処理とは、一つの第１画素３１Ａと一つの第２画素３１Ｂを一組の画素３５として、当該第２画素３１Ｂに対応する入力画像信号が画像のエッジに対応する入力画像信号でない場合、当該一組の画素３５に対応する入力画像信号の成分のうち第１成分及び当該一組の画素３５に含まれる第２画素３１Ｂに対応する色域外成分の合算成分に基づいて当該第１画素３１Ａが有する副画素３２の出力を決定し、当該一組の画素３５に対応する入力画像信号の成分のうち第２成分から当該色域外成分を除いた当該一組の画素３５に対応する第３成分に基づいて当該一組の画素３５に含まれる第２画素３１Ｂが有する副画素３２の出力を決定する処理をさす。信号処理部２１は、さらに、その他の関連処理のうち少なくとも一つ以上を行ってもよい。その他の関連処理とは、上記にて説明したような、輝度調整成分に関する処理、画像入力信号の成分を白色に優先して変換する処理又は画像入力信号の成分を白色以外の色に優先して変換する処理あるいはこれらの処理の合成、白色に変換された成分の一部を白色以外の成分に分ける処理、入力画像信号が特定の色に対応する成分を有する場合に生じうる表示領域Ａにおける特定方向の線の視認性をより低減するための処理等をさす。
【００９３】
（エッジ判定）
次に、エッジ判定部２２による判定処理内容、すなわち、エッジに対応する入力画像信号の検出方法について説明する。この説明では、行方向について一つの第２画素３１Ｂを挟むように存する二つの第１画素３１Ａを前提として、第２画素３１Ｂに対応する入力画像信号がエッジに対応するか否かを判定する方法について説明する。図５７は、エッジに対応する画素の検出に用いられるテーブルが示す色相と色相許容量との関係の一例を示す図である。エッジ判定部２２は、例えば以下の式（１）に基づいて、第２画素３１Ｂに対応する入力画像信号の成分が示す色相を算出する。式（１）におけるＨは、色相を示す。Ｒ，Ｇ，Ｂはそれぞれ、入力画像信号の成分（Ｒ，Ｇ，Ｂ）に対応する。ＭＩＮは、入力画像信号の成分（Ｒ，Ｇ，Ｂ）のうち最小の値を示す。ＭＡＸは、入力画像信号の成分（Ｒ，Ｇ，Ｂ）のうち最大の値を示す。次に、エッジ判定部２２は、図５７に示す色相と色相許容量との関係を示すテーブルを参照して、算出された第２画素３１Ｂの色相に対応する色相許容量の値（ＨＴ）を参照して取得する。また、エッジ判定部２２は、以下の式（１）に基づいて、当該第２画素３１Ｂに行方向で隣接する一方の第１画素３１Ａに対応する入力画像信号の成分が示す色相を算出する。エッジ判定部２２は、算出された第２画素３１Ｂの色相から一方の第１画素３１Ａの色相を差し引いた値の絶対値をΔＨ１として算出する。その後、エッジ判定部２２は、ΔＨ１をＨＴで割ることで第１の判定値を算出する。また、エッジ判定部２２は、以下の式（１）に基づいて、当該第２画素３１Ｂに行方向で隣接する他方の第１画素３１Ａに対応する入力画像信号の成分が示す色相を算出する。エッジ判定部２２は、算出された第２画素３１Ｂの色相から他方の第１画素３１Ａの色相を差し引いた値の絶対値をΔＨ２として算出する。その後、エッジ判定部２２は、ΔＨ２をＨＴで割ることで第２の判定値を算出する。エッジ判定部２２は、第１の判定値と第２の判定値のうち、より大きい値を判定値として採用する。エッジ判定部２２は、図５７に示す色相と色相許容量との関係を示すテーブルにおいて、第２画素３１Ｂの色相に対応する色相許容量を特定する。エッジ判定部２２は、判定値と色相許容量との比較結果に基づいて入力画像信号がエッジに対応するか否か判定する。例えば判定値が色相許容量を超える場合、エッジ判定部２２は、第２画素３１Ｂに対応する入力画像信号がエッジに対応すると判定する。一方、判定値が色相許容量以下である場合、エッジ判定部２２は、第２画素３１Ｂに対応する入力画像信号がエッジに対応しないと判定する。図５７で描かれているグラフは、ヒトの感性に基いた一般的な許容量比率を示す。このため、求められた判定値は、既に人の許容量は考慮された値となる。本実施形態におけるエッジ判定方法は、人の許容特性のテーブルをそのまま使用することに限られず、レベル調整を加えて判定するようにしてもよい。具体的には、まず図５７に示すような許容値を加味したデータを用いて判定値を算出し、判定値と、色相許容量及び基準値に基づいた値との関係でエッジの判定をする。基準値は、色相許容量に対する係数である。許容値のテーブルをそのまま結果に反映させる���合、基準値は１．０（等倍）となるが、許容値テーブルよりも判定を厳しくしたい場合、基準値をより低く設定し、許容値テーブルよりも判定を緩くしたい場合、基準値をより高く設定する。
【００９４】
【数１】
2018081311.tif 000003
【００９５】
また、輝度に基づいてエッジを検出することもできる。エッジ判定部２２は、第２画素３１Ｂに対応する入力画像信号の成分から、当該成分による輝度を算出する。具体的には、エッジ判定部２２は、入力画像信号の成分である赤（Ｒ）、緑（Ｇ）、青（Ｂ）の各々の成分の輝度比から輝度を算出する。輝度比は、成分量に応じた輝度を示す。また、エッジ判定部２２は、行方向について一つの第２画素３１Ｂを挟むように存する二つの第１画素３１Ａの各々に対応する入力画像信号の成分について、それぞれ輝度を算出する。エッジ判定部２２は、第２画素３１Ｂに対応する入力画像信号の成分による輝度と当該二つの第１画素３１Ａの各々に対応する入力画像信号の成分による輝度との差又は比を算出する。エッジ判定部２２は、より大きい輝度差（又は輝度比）と、予め定められた輝度の差（又は比）の基準値とを比較し、比較結果に応じて第２画素３１Ｂに対応する入力画像信号がエッジに対応するか否か判定する。例えば、基準値よりも算出された値のほうが大きい場合、第２画素３１Ｂに対応する入力画像信号がエッジに対応すると判定する。一方、算出された値が基準値以下である場合、エッジ判定部２２は、第２画素３１Ｂに対応する入力画像信号がエッジに対応しないと判定する。
【００９６】
また、彩度に基づいてエッジを検出することもできる。エッジ判定部２２は、例えば、第２画素３１Ｂに対応する入力画像信号の成分の彩度と、行方向についてその第２画素３１Ｂを挟むように存する二つの第１画素３１Ａの各々に対応する入力画像信号の成分の彩度との差があらかじめ定めた基準値よりも小さい場合に、第２画素３１Ｂに対応する入力画像信号がエッジに対応しないと判定するようにしてもよい。
【００９７】
上記にて説明したエッジ検出方法では、行方向について第２画素３１Ｂに対応する入力画像信号がエッジに対応するか否かを判定しているが、当該第２画素３１Ｂに対して列方向に隣接する第１画素３１Ａについても同様に判定してもよい。また、上記の処理に関わらず、第１画素３１Ａ及び第２画素３１Ｂのいずれかがモノクロ（色相を有しない白〜（グレースケール）〜黒）であり、かつもう片方の画素がカラーである（色相を有している）時、エッジ判定部２２は、当該第１画素３１Ａ及び第２画素３１Ｂがエッジに対応すると判定する。また、第１画素３１Ａ及び第２画素３１Ｂがモノクロである場合、エッジ判定部２２は、当該第１画素３１Ａ及び第２画素３１Ｂがエッジに対応しないと判定する（両方の画素ともＷ副画素を持っているため必要ない）。エッジ判定部２２は、上記にて説明したエッジ検出方法を含むこれらの方法のいずれか又は複数の組み合わせによる判定結果に基づいて、第２画素３１Ｂに対応する入力画像信号が画像のエッジに対応する入力画像信号であるか否か判定する。また、これらの方法は、第１画素３１Ａに対応する入力画像信号がエッジであるか否かを検出する場合にも用いることができる。
【００９８】
なお、エッジに対応する画素について色域外成分の一部又は全部が破棄された場合、破棄された色域外成分に応じた輝度が第２画素３１Ｂから失われることになる。また、エッジに対応する画素の色域外成分のうち他の組の第１画素３１Ａに反映された色域外成分に応じた輝度が第２画素３１Ｂから減じられるとともに、当該他の組の第１画素３１Ａで当該色域外成分に応じた輝度が増やされることになる。これらの理由により生じた第２画素３１Ｂと当該第２画素３１Ｂに隣接する第１画素３１Ａとの間の輝度差を低減する目的で、第１画素３１Ａから第２画素３１Ｂに輝度を移すための成分調整を行ってもよい。具体的には、信号処理部２１は、例えば上記で説明した輝度調整成分を用いて第１画素３１Ａ及び第２画素３１Ｂの各々の副画素３２の出力を決定することで、当該輝度差を低減するようにしてもよい。
【００９９】
なお、図５７及び式（１）は、ＨＳＶ色空間に基づいた色相によるものであるが、本発明において色相を判定するための色空間はＨＳＶ空間に限られない。例えば、ＸＹＺ表色系のｘｙ色度図やユースターブイスター（ｕ＊ｖ＊）色空間の白（Ｗ）からの角度を用いてもよい。
【０１００】
次に、図５８を参照して、画像のエッジに関する処理の流れの一例について説明する。図５８は、画像のエッジに関する処理の流れの一例を示すフローチャートである。エッジ判定部２２は、色相、輝度及び彩度の少なくともいずれか一つに基づいて、各画素３１に対応する入力画像信号がエッジに対応するか否か判定する（ステップＳ１）。一組の画素３５が共にエッジに対応しないと判定された場合（ステップＳ２；ＮＯ）、信号処理部２１は、当該一組の画素３５に対して、一組の画素３５に関する処理を行う（ステップＳ３）。一方、一組の画素３５に含まれるいずれかの画素に対応する入力画像信号がエッジに対応すると判定された場合（ステップＳ２；ＹＥＳ）、エッジ判定部２２は、エッジに対応すると判定された入力画像信号が第２画素３１Ｂに対応するか否か判定する（ステップＳ４）。第２画素３１Ｂに対応しない場合、すなわち、入力画像信号が第１画素３１Ａに対応する場合（ステップＳ４；ＮＯ）、信号処理部２１は、当該入力画像信号の成分を第１画素３１Ａにそのまま反映させる（ステップＳ５）。入力画像信号が第２画素３１Ｂに対応する場合（ステップＳ４；ＹＥＳ）、信号処理部２１は、エッジに対応する画素の入力画像信号の成分について、当該成分の一部又は全部の移動に関する例外処理を行う（ステップＳ６）。例外処理とは、具体的には、例えば図４７、図５１及び図５２又は図５３〜図５６を参照して説明した処理のいずれかである。ステップＳ３、ステップＳ５又はステップＳ６の処理の後、信号処理部２１は、その他の関連処理のうち少なくとも一つ以上を行ってもよい（ステップＳ７）。
【０１０１】
（変形例）
なお、図３、図４等に示すように、上記の実施形態における画素３１は正方形状であり、副画素３２は、各画素３１において２次元のマトリクス状（行列状）に配置されているが、これは画素３１及び副画素３２の形態の一例であってこれに限られるものでない。例えば、画素３１は、当該画素をストライプ状に区切るように設けられた複数の副画素３２を有していてもよい。また、一つの画素３１が有する副画素の数は四つに限られない。また、画素３１は、白色の副画素を有していなくてもよい。以下、本発明の変形例について、図５９〜図７６を参照して説明する。図５９は、変形例における第１画素３１ａ及び第２画素３１ｂの各々が有する副画素の配置の一例を示す図である。図６０は、第１画素３１ａ及び第２画素３１ｂ２の各々が有する副画素の配置の別の一例を示す図である。具体的には、例えば図５９、図６０等に示すように、画像表示部３０は、ストライプ状の赤（Ｒ）、緑（Ｇ）、青（Ｂ）の副画素を有する第１画素３１ａと、ストライプ状のシアン（Ｃ）、マゼンタ（Ｍ）、イエロー（Ｙ）の副画素を有する第２画素３１ｂとを有していてもよい。ストライプ状の副画素の並びについては任意である。図５９に示す例では、第１画素３１ａが有する副画素の並びにおける色相の回転順と第２画素３１ｂが有する副画素の並びにおける色相の回転順とが一致するように各々の画素の副画素が設けられている。図６０に示す例では、第１画素３１ａが有する副画素の並びにおける輝度順と第２画素３１ｂ２が有する副画素の並びにおける輝度順とが一致するように各々の画素の副画素が設けられている。図５９、図６０等に示す例は、縦方向のストライプを描くように設けられた副画素を有する画素を示しているが、横方向のストライプであってもよい。このように２行２列でない副画素の場合、斜め方向の線は生じない。言い換えれば、副画素の形状によって、斜め方向の線の発生を抑制することができる。また、２行２列であっても、各画素の副画素を画素の中心寄りにすることでも、斜め方向の線を低減することができる。
【０１０２】
図６１は、変形例における第１画素３１ａと第２画素３１ｂとの位置関係並びに第１画素３１ａ及び第２画素３１ｂの各々が有する副画素の配置の一例を示す図である。図６２は、変形例において一辺に隣接する画素が第１画素３１ａである表示領域Ａの一例を示す図である。図６３は、変形例において四辺に隣接する画素が第１画素３１ａである表示領域Ａの一例を示す図である。図６１に示すように、副画素がストライプ状である場合や、一つの画素が有する副画素が三つである場合においても、２行２列の副画素を有する画素と同様に、第２画素３１ｂは千鳥状の配置であってよい。また、図６２の辺隣接領域Ａ３及び図６３の辺隣接領域Ａ４で示すように、表示領域Ａの少なくとも一辺に隣接する画素は第１画素３１ａであってよい。図６１〜図６３に示す画素の配置及び以下に説明する信号処理部２１による処理は、第２画素３１ｂ２に対しても適用可能であるし、副画素３２の配置が他の配置である第１画素、第２画素に対しても適用可能である。
【０１０３】
図６４〜図７２を参照して、一つの画素が有する副画素が三つである場合における信号処理部２１による入力画像信号に基づいた処理について説明する。図６４は、第２画素３１ｂに対応する入力画像信号の成分の一例を示す図である。図６４〜図７２を参照した説明では、第２画素３１ｂに対応する入力画像信号がともに図６４に示すような赤（Ｒ）、緑（Ｇ）、青（Ｂ）の成分を示す入力画像信号である場合について説明する。
【０１０４】
まず、第２画素３１ｂが有する副画素の出力の決定に関する処理について説明する。図６５は、赤（Ｒ）、緑（Ｇ）、青（Ｂ）の成分をシアン（Ｃ）、マゼンタ（Ｍ）、イエロー（Ｙ）の成分に変換する処理の一例を示す図である。図６６は、赤（Ｒ）、緑（Ｇ）の成分をイエロー（Ｙ）の成分に変換する処理の別の一例を示す図である。図６７は、緑（Ｇ）、マゼンタ（Ｍ）の成分をシアン（Ｃ）、イエロー（Ｙ）の成分に変換する処理の一例を示す図である。図６８は、変形例の第２画素３１ｂの出力に対応する成分及び色域外成分の一例を示す図である。信号処理部２１は、第２画素３１ｂに対応する入力画像信号の成分のうち、第２画素３１ｂが有する副画素の色で再現可能な成分を第２画素３１ｂが有する副画素の色に変換する処理を行う。具体的には、信号処理部２１は、例えば図６５に示すように、第２画素３１ｂに対応する入力画像信号の成分である赤（Ｒ）、緑（Ｇ）、青（Ｂ）の成分のうち最も彩度が小さい成分（図６５の場合、青（Ｂ））の成分量に対応する成分量を赤（Ｒ）、緑（Ｇ）、青（Ｂ）の成分から抜き出して、シアン（Ｃ）、マゼンタ（Ｍ）、イエロー（Ｙ）の各々の成分に変換する。また、信号処理部２１は、第２画素３１ｂに対応する入力画像信号の成分であって、図６５を参照した説明で変換されなかった赤（Ｒ）、緑（Ｇ）の成分のうちより小さい成分（図６６の場合、赤（Ｒ））の成分量に対応する成分量を赤（Ｒ）、緑（Ｇ）の成分から抜き出してこの成分の組み合わせに対応する色（図６６の場合、イエロー（Ｙ））に変換する。さらに、信号処理部２１は、第２画素３１ｂに対応する入力画像信号の成分のうち変換されていない成分（図６７の場合、緑（Ｇ））の一部又は全部と、第２画素３１ｂが有する副画素の色であってこの成分を用いない補色（図６７の場合、マゼンタ（Ｍ））に変換された成分とを２：１の比率で用いて別の副画素の色（図６７の場合、シアン（Ｃ）及びイエロー（Ｙ））に変換する。図６７に示す例では、緑（Ｇ）の成分と、当該成分の半分の量のマゼンタ（Ｍ）の成分とをシアン（Ｃ）及びイエロー（Ｙ）に変換しているが、他の色の組み合わせでも同様に行うことができる。すなわち、以下の式（２）〜（４）に示す関係に基づいて、色変換を行うことができる。図６５〜図６７を参照した説明による処理の結果、第２画素３１ｂの出力に対応する成分は、図６８に示すシアン（Ｃ）、マゼンタ（Ｍ）及びイエロー（Ｙ）の成分になると共に、緑（Ｇ）の成分が色域外成分になる。図６８及び後述する図７０では、色域外成分に符号Ｏ５を付している。
２Ｒ＋Ｃ＝ＹＭ…（２）
２Ｇ＋Ｍ＝ＣＹ…（３）
２Ｂ＋Ｙ＝ＣＭ…（４）
【０１０５】
次に、第１画素３１ａが有する副画素の出力の決定に関する処理について説明する。図６９は、第１画素３１ａに対応する入力画像信号の成分の一例を示す図である。図７０は、図６９に示す入力画像信号の成分に色域外成分が加味された第１画素３１ａの出力に対応する成分の一例を示す図である。図６９〜図７２を参照した説明では、第１画素３１ａに対応する入力画像信号がともに図６９に示すような赤（Ｒ）、緑（Ｇ）、青（Ｂ）の成分を示す入力画像信号である場合について説明する。信号処理部２１は、第１画素３１ａに対応する入力画像信号の成分に、色域外成分を合成する。具体的には、信号処理部２１は、例えば図７０に示すように、図６８で色域外成分とされた緑（Ｇ）の成分を第１画素３１ａに対応する入力画像信号の成分に加える。
【０１０６】
また、信号処理部２１は、一つの画素が有する副画素が三つである場合においても、輝度調整成分を用いた輝度調整を行うことができる。図７１は、図７０に示す成分から輝度調整成分が減じられた第１画素３１ａの出力に対応する成分の一例を示す図である。図７２は、図６８に示す出力の成分に輝度調整成分が加味された第２画素３１ｂの出力に対応する成分の一例を示す図である。具体的には、信号処理部２１は、まず、色域外成分により第１画素３１ａに加味される輝度を算出する。次に、信号処理部２１は、算出された輝度に対応する成分を第１画素３１ａの成分から減ずる。具体的には、信号処理部２１は、例えば図７１に示すように、第２画素３１ｂで再現可能な成分（図７１の場合、互いに等しい成分量である赤（Ｒ）、緑（Ｇ）、青（Ｂ）の成分）を輝度調整成分として減ずることで、色域外成分により第１画素３１ａに加味される輝度に対応する成分を減ずる。信号処理部２１は、第１画素３１ａで低減した輝度調整成分を第２画素３１ｂの成分に加える。具体的には、信号処理部２１は、例えば図７２に示すように、図７１で第１画素３１ａの成分から低減された赤（Ｒ）、緑（Ｇ）、青（Ｂ）の成分量だけ、第２画素３１ｂの成分におけるシアン（Ｃ）、マゼンタ（Ｍ）、イエロー（Ｙ）の各々の成分を増加させる。図７１では、輝度調整成分に符号Ｐ２を付し、図７２にて当該輝度調整成分による成分の変化量を（Ｐ２）で示している。
【０１０７】
図７１及び図７２を参照した例では、赤（Ｒ）、緑（Ｇ）、青（Ｂ）の成分をシアン（Ｃ）、マゼンタ（Ｍ）、イエロー（Ｙ）の各々の成分に変換して輝度調整を行っているが、これは輝度調整の一例であってこれに限られるものでない。例えば、赤（Ｒ）、緑（Ｇ）、青（Ｂ）の成分のうち２色に対応する成分を輝度調整成分として第１画素から減じ、当該２色により再現される色を第２画素３１ｂが有する副画素に反映させるようにしてもよい。
【０１０８】
図７３は、第１画素が有する副画素の色に対応する色空間と第２画素が有する副画素の色に対応する色空間の一例を示す図である。図７４、図７５、図７６は、第１画素が有する副画素の色に対応する色空間と第２画素が有する副画素の色に対応する色空間の別の一例を示す図である。これまで説明した例では、図７３に示すように、第２画素が有する副画素の色のうち３色（シアン（Ｃ）、マゼンタ（Ｍ）、イエロー（Ｙ））が、第１画素が有する副画素の色のうち３色（赤（Ｒ）、緑（Ｇ）、青（Ｂ））の補色である場合について説明したが、第２画素が有する副画素の色は、これに限られるものでない。第２画素が有する副画素の色は、例えば、図７４に示すように、彩度の上限が、第１画素が有する副画素の色である赤（Ｒ）、緑（Ｇ）、青（Ｂ）による色空間の範囲外に及ぶ補色であってもよい。図７４に示す例では、第１画素が有する副画素の色による色空間の範囲に対してシアン（Ｃ）、マゼンタ（Ｍ）、イエロー（Ｙ）の全ての補色の彩度の上限が範囲外に及んでいるが、範囲外に及ぶ彩度の上限を有する色が一部の補色のみであってもよい。また、第２画素が有する副画素の色の一部又は全部は、彩度の上限が、第１画素が有する副画素の色による色空間の範囲の内側に存する色であってもよい。また、例えば図７５に示すように、第２画素が有する副画素の色は、エメラルドグリーン（Ｅｍ）等、補色に限られない色を含んでいてもよい。図７４、図７５に示すように、第１画素が有する副画素の色による色空間の範囲の外側に及ぶ色空間が構成される副画素の色の組み合わせを第２画素が有する副画素の色に採用することで、赤（Ｒ）、緑（Ｇ）、青（Ｂ）の組み合わせだけでは再現することができないより高色域の色を再現することができる。また、図７６に示すように、赤（Ｒ）、緑（Ｇ）、青（Ｂ）による色空間において使用される頻度がより高い色に対応した色空間が構成されるように、第２画素が有する副画素の色を決定するようにしてもよい。なお、図７３〜図７６では、第１画素の色空間に符号Ｚ１を付し、第２画素の色空間の符号Ｚ２を付している。図７３〜図７６に示す例の場合、白（Ｗ）は、色空間を示す三角形の内側の中心部（（Ｒ，Ｇ，Ｂ）＝（２５５，２５５，２５５）に対応する位置）に存する。なお、第２画素の副画素の色のうち一部の色（例えば白（Ｗ））は、第１画素の副画素の色と同一の色であってもよい。第２画素の副画素の色は、少なくとも１色が第１画素の副画素の色と異なればよい。
【０１０９】
例示されたＲＧＢ等の色域は、ＸＹＺ表色系のｘｙ色度範囲上において、三角形状の範囲で示されているが、定義色域が定義される所定の色空間は、三角形状の範囲で定められることに限定されるものではなく、副画素の色数に応じた多角形状等の任意の形状の範囲で定められるものとしてもよい。
【０１１０】
（適用例）
次に、図７７を参照して、上記の実施形態等で説明した画像表示装置の適用例について説明する。上記の実施形態等で説明した画像表示装置は、スマートフォンその他のあらゆる分野の電子機器に適用することが可能である。言い換えると、係る画像表示装置は、外部から入力された映像信号あるいは内部で生成した映像信号を、画像あるいは映像として表示するあらゆる分野の電子機器に適用することが可能である。
【０１１１】
図７７は、本発明が適用されるスマートフォン７００の外観の一例を示す図である。スマートフォン７００は、例えばその筐体７１０の一面に設けられた表示部７２０を備える。表示部７２０は、本発明の画像表示装置により構成されている。
【０１１２】
以上、本実施形態等によれば、第１画素が有する副画素の色と第２画素が有する副画素の色の両方の色を合わせた色数が副画素の色数になる。すなわち、全ての画素の副画素が共通である場合に比して、第２画素が有する副画素の色に応じた数だけ副画素の色数を増やすことができる。これにより、第１画素の副画素の色数と第２画素の副画素の色数を色再現に用いることができ、より多彩かつ効率的な色再現を行うことができる。また、隣接する第１画素と第２画素のうち一方の画素に対応する入力画像信号の成分のうち一部の成分を他方の画素が有する副画素の出力の決定に用いることで、第１画素と第２画素の色空間が異なることにより一方の画素で再現することができない色の成分が生じた場合に他方の画素で当該成分を再現することができる。このように、本実施形態によれば、一つの画素が有する副画素の色を単純に増加させる場合に比して、一つの画素が有する副画素の数の増加に伴う解像感の低下を抑制しつつ副画素の色数をより増加させることができると共に、各画素に対応した入力画像信号に応じた出力を行うことができる。すなわち、本実施形態によれば、副画素の色数と解像感とを両立することができる。
【０１１３】
また、第１画素に対応する入力画像信号の成分である第１成分及び隣接する第２画素に対応する入力画像信号のうち当該第２画素が有する副画素で色を再現することができない成分である色域外成分の合算成分に基づいて第１画素が有する副画素の出力を決定し、第２画素に対応する入力画像信号の成分である第２成分から色域外成分を除いた第３成分に基づいて第２画素が有する副画素の出力を決定することで、第１画素と第２画素との組み合わせにより、第２画素における色域外成分を含む２画素分の入力画像信号に対応した色再現を行うことができる。
【０１１４】
また、合算成分のうち色域外成分により上昇する第１画素の輝度に対応する輝度調整成分を合算成分から減じて第１画素が有する副画素の出力を決定し、第３成分及び輝度調整成分に基づいて第２画素が有する副画素の出力を決定することで、第１画素及び第２画素の各々の入力画像信号に対応する輝度を各々の画素により高精度に反映させることができる。
【０１１５】
また、第１画素及び第２画素が白色の副画素を有することで、入力画像信号が入力される画素が第１画素であるか第２画素であるかに関わらず、白色及び輝度の出力について各画素で対応することができる。これにより、画像表示部３０から出力される表示出力（画像）における各画素の明暗に関する解像度を画素３１の粒度で確保することができる。すなわち、解像感を確保することができる。また、入力画像信号の成分のうち白色に変換可能な成分がある場合に白色の副画素を点灯させることで、各画素の輝度を白色の副画素の点灯により確保することができる。すなわち、輝度を確保する観点において他の色の副画素の出力をより抑えることができることから、より高いレベルの省電力性を実現することができる。
【０１１６】
また、入力画像信号のうち白色に変換可能な成分を他の色の副画素よりも優先的に白色の副画素の出力に反映させることで、点灯する副画素をより少なくして省電力性をより高めることができる。
【０１１７】
また、第１画素及び第２画素の各々が有する白色の副画素のうち出力がより小さい一方の副画素の出力に応じて他方の副画素の出力を決定することで、第１画素が有する白色の画素と第２画素が有する白色の画素との出力バランスを取ることができる。このため、より見栄えのよい表示出力が得られる。
【０１１８】
また、入力画像信号の成分のうち白色以外の色に変換可能な成分を白色の副画素よりも優先的に副画素の出力に反映させることで、白色を優先する場合に比して点灯する副画素をより多くして粒状感をより低減することができる。
【０１１９】
また、第１画素における白色の副画素の配置と第２画素における白色の副画素の配置とが同一の配置であることで、白色の副画素により得られる画像の解像感をより規則的な白色の副画素の配置により得ることができる。このため、より見栄えのよい表示出力が得られる。
【０１２０】
また、隣接する第１画素と第２画素の２画素に対応する入力画像信号に基づいた当該第１画素の副画素の出力及び当該第１画素に隣接する第２画素の副画素の出力の組み合わせが複数ある場合、第１画素の輝度分布と第２画素の輝度分布とがより近似する第１画素の副画素の出力及び第２画素の副画素の出力を採用することで、各画素の輝度分布のバランスを取ることができる。このため、より見栄えのよい表示出力が得られる。
【０１２１】
また、入力画像信号の成分が、第１画素が有する副画素のうち３色に対応することで、第１画素が有する副画素によって、より確実に入力画像信号に応じた色再現を行うことができる。このため、第２画素で色域外成分が生じた場合に、より確実に第１画素で色再現を行うことができる。このように、本実施形態によれば、入力画像信号に応じた色再現をより確実に行うことができる。
【０１２２】
また、第１画素が有する副画素の数と第２画素が有する副画素の数が同一であり、第１画素における副画素の配置と第２画素における副画素の配置が、第１画素が有する副画素の色相と第２画素が有する副画素の色相とを対比した場合に、各画素における色相の配置がより近似する配置であることで、副画素の各々の色により構成される表示領域における色の起伏をより平坦にすることができる。
【０１２３】
また、第１画素が有する副画素の数と第２画素が有する副画素の数が同一であり、第１画素における副画素の配置と第２画素における副画素の配置が、各画素における副画素同士の輝度の高低関係が同一であることで、副画素の各々の色により構成される表示領域における輝度の起伏をより平坦にすることができる。
【０１２４】
また、第１の色域に含まれる３色以上の副画素で構成される第１画素と、第１の色域とは異なる第２の色域に含まれる３色以上の副画素で構成される第２画素とがマトリクス状に設けられた表示領域内で第１画素と第２画素とが隣接する画像表示部を備えることで、第１画素の副画素の色数と第２画素の副画素の色数を色再現に用いることができ、より多彩かつ効率的な色再現を行うことができる。また、第１画素及び第２画素がそれぞれ入力画像信号に基づいた出力を行うことから、副画素の色数の確保と画素数に応じた解像感とを両立することができる。このように、本実施形態によれば、副画素の色数と解像感とを両立することができる。
【０１２５】
また、第１画素が有する副画素の色のうち３色が、赤、緑、青に対応することで、ＲＧＢ色空間に対応した入力画像信号について、第１画素が有する副画素によってより確実に入力画像信号に応じた色再現を行うことができる。このため、第２画素で色域外成分が生じた場合に、より確実に第１画素で色再現を行うことができる。このように、本実施形態によれば、入力画像信号に応じた色再現をより確実に行うことができる。
【０１２６】
また、表示領域が直線状の辺を有し、少なくとも一辺に隣接する画素が第１画素であることで、当該辺に隣接する第２画素と協働で色再現を行う第１画素をより確実に確保することができる。
【０１２７】
また、第２画素が千鳥状に配置されていることで、第２画素に隣接する第１画素の数をより増やすことができる。このため、第２画素と協働で色再現を行う第１画素をより確実に確保することができる。
【０１２８】
また、第１画素又は第２画素の一方の画素が有する副画素の色が、他方の画素が有する副画素の色の補色であることで、他方の画素で二つの副画素を用いることになる補色の色再現を一方の画素が有する一つの副画素で行うことができる。このため、より高いレベルの省電力性を実現することができる。
【０１２９】
また、第１画素に対応する入力画像信号の成分である第１成分に基づいて第１画素が有する副画素の出力を決定し、第２画素に対応する入力画像信号の成分である第２成分に基づいて第２画素が有する副画素の出力を決定した場合に、同一の色成分を含む副画素が一直線状に連続して点灯し、かつ、当該同一の色成分を有する副画素からの出力と当該同一の色成分を有する副画素に隣接する副画素からの出力との間に所定以上の差がある状態になるとき、第１成分のうち一部又は全部の成分であって同一の色成分を含む調整成分を除いた成分に基づいて第１画素が有する副画素の出力を決定し、第２成分及び調整成分に基づいて第２画素が有する副画素の出力を決定することで、同一の色成分の連続性を低減することができる。このため、同一の色成分を含む副画素が一直線状に連続して点灯することによって生じ得る線の顕在化を抑制することができる。
【０１３０】
また、調整成分が第１成分における同一の色成分の半分の成分に対応することで、線の発生の抑制と粒状感の発生の抑制の両方のバランスを取ることができる。このため、より見栄えのよい表示出力が得られる。
【０１３１】
また、第２画素に対応する入力画像信号が画像のエッジに対応する入力画像信号である場合、「第２画素で光の出力が行われる副画素」に隣接しない「第１画素の副画素」の出力に色域外成分を反映しないことで、エッジずれを抑制することができる。
【０１３２】
また、第２画素に対応する入力画像信号が画像のエッジに対応する入力画像信号である場合、第２画素が有する副画素のうち色域外成分を含む色である副画素の出力に色域外成分を反映させることで、エッジずれを生じさせることなく、入力画像信号により近い色再現を行うことができる。
【０１３３】
また、一組の画素に含まれる第２画素に対応する入力画像信号が画像のエッジに対応する入力画像信号である場合、当該第２画素に対応する色域外成分を当該第２画素に隣接する他の組に含まれる第１画素が有する副画素のうち当該第２画素で光の出力が行われる副画素に隣接する副画素の出力の決定に用いることで、エッジずれを最小限にしながらより高精度な色再現を行うことができる。
【０１３４】
また、一組の画素に含まれる第２画素に対応する入力画像信号が画像のエッジに対応する入力画像信号である場合、第２画素と当該第２画素の色域外成分が反映される第１画素との間における彩度及び輝度の逆転、並びに、当該第１画素に当該色域外成分が反映されない場合に色相を最も強く決定する色と当該第１画素に当該色域外成分が反映される場合に色相を最も強く決定する色とが異なることによる色相の回転が発生しない範囲内で当該第１画素が有する副画素の出力を決定することで、より高い色再現性を確保することができる。
【０１３５】
また、第１成分と第２成分の色相、輝度及び彩度のうち少なくともいずれか一つの差に基づいて、第２画素に対応する入力画像信号が画像のエッジに対応する入力画像信号であるか否か判定することで、エッジずれが生じた場合に視覚的な画素ずれがより顕在化しやすい画像のエッジを検出するための判定を行うことができる。このため、係る画像のエッジに対してより確実にエッジずれを抑制するための処理を行うことができる。
【０１３６】
また、色域外成分を第１画素及び第２画素が有する副画素の出力に反映させないことで、より簡便な処理でエッジずれを抑制することができる。
【０１３７】
なお、実施例においては、開示例として有機ＥＬ表示装置の場合を例示したが、その他の適用例として、その他の自発光型表示装置、液晶表示装置、あるいは電気泳動素子等を有する電子ペーパー型表示装置等、あらゆるフラットパネル型の画像表示装置が挙げられる。また、中小型から大型まで、特に限定することなく適用が可能であることは言うまでもない。
【０１３８】
また、上記の実施形態では、一つの画像処理回路が、処理部として機能する信号処理部２１と、判定部として機能するエッジ判定部２２とを有しているが、これに限られるものでない。処理部と判定部は、個別の構成であってもよい。
【０１３９】
また、本実施形態において述べた態様によりもたらされる他の作用効果について本明細書記載から明らかなもの、又は当業者において適宜想到し得るものについては、当然に本発明によりもたらされるものと解される。
【符号の説明】
【０１４０】
１００  画像表示装置
２０    画像処理回路
２１    信号処理部
２２    エッジ判定部
３０    画像表示部
３１    画素
３１Ａ，３１ａ  第１画素
３１Ｂ，３１Ｂ２，３１ｂ，３１ｂ２  第２画素
３２    副画素
３２Ｒ  第１副画素
３２Ｇ  第２副画素
３２Ｂ  第３副画素
３２Ｗ１  第４副画素
３２Ｍ  第５副画素
３２Ｙ  第６副画素
３２Ｃ  第７副画素
３２Ｗ２  第８副画素
３５，３５Ａ  一組の画素
Ａ    表示領域
Ａ１，Ａ２，Ａ３，Ａ４  辺隣接領域
【図１】
2018081311.tif 000004
【図２】
2018081311.tif 000005
【図３】
2018081311.tif 000006
【図４】
2018081311.tif 000007
【図５】
2018081311.tif 000008
【図６】
2018081311.tif 000009
【図７】
2018081311.tif 000010
【図８】
2018081311.tif 000011
【図９】
2018081311.tif 000012
【図１０】
2018081311.tif 000013
【図１１】
2018081311.tif 000014
【図１２】
2018081311.tif 000015
【図１３】
2018081311.tif 000016
【図１４】
2018081311.tif 000017
【図１５】
2018081311.tif 000018
【図１６】
2018081311.tif 000019
【図１７】
2018081311.tif 000020
【図１８】
2018081311.tif 000021
【図１９】
2018081311.tif 000022
【図２０】
2018081311.tif 000023
【図２１】
2018081311.tif 000024
【図２２】
2018081311.tif 000025
【図２３】
2018081311.tif 000026
【図２４】
2018081311.tif 000027
【図２５】
2018081311.tif 000028
【図２６】
2018081311.tif 000029
【図２７】
2018081311.tif 000030
【図２８】
2018081311.tif 000031
【図２９】
2018081311.tif 000032
【図３０】
2018081311.tif 000033
【図３１】
2018081311.tif 000034
【図３２】
2018081311.tif 000035
【図３３】
2018081311.tif 000036
【図３４】
2018081311.tif 000037
【図３５】
2018081311.tif 000038
【図３６】
2018081311.tif 000039
【図３７】
2018081311.tif 000040
【図３８】
2018081311.tif 000041
【図３９】
2018081311.tif 000042
【図４０】
2018081311.tif 000043
【図４１】
2018081311.tif 000044
【図４２】
2018081311.tif 000045
【図４３】
2018081311.tif 000046
【図４４】
2018081311.tif 000047
【図４５】
2018081311.tif 000048
【図４６】
2018081311.tif 000049
【図４７】
2018081311.tif 000050
【図４８】
2018081311.tif 000051
【図４９】
2018081311.tif 000052
【図５０】
2018081311.tif 000053
【図５１】
2018081311.tif 000054
【図５２】
2018081311.tif 000055
【図５３】
2018081311.tif 000056
【図５４】
2018081311.tif 000057
【図５５】
2018081311.tif 000058
【図５６】
2018081311.tif 000059
【図５７】
2018081311.tif 000060
【図５８】
2018081311.tif 000061
【図５９】
2018081311.tif 000062
【図６０】
2018081311.tif 000063
【図６１】
2018081311.tif 000064
【図６２】
2018081311.tif 000065
【図６３】
2018081311.tif 000066
【図６４】
2018081311.tif 000067
【図６５】
2018081311.tif 000068
【図６６】
2018081311.tif 000069
【図６７】
2018081311.tif 000070
【図６８】
2018081311.tif 000071
【図６９】
2018081311.tif 000072
【図７０】
2018081311.tif 000073
【図７１】
2018081311.tif 000074
【図７２】
2018081311.tif 000075
【図７３】
2018081311.tif 000076
【図７４】
2018081311.tif 000077
【図７５】
2018081311.tif 000078
【図７６】
2018081311.tif 000079
【図７７】
2018081311.tif 000080